(57)【要約】  本開示の実施例は、サイドリンクの伝送方法及び端末を提供する。この方法において、前記サイドリンクの物理層情報を指示する情報フィールドを含むサイドリンク制御情報ＳＣＩをサイドリンクのＰＳＣＣＨを介して送信することを含む。【選択図】  図２
2021518723.tif 000002
【特許請求の範囲】
【請求項１】
第１端末に応用されるサイドリンクの伝送方法において、
前記サイドリンクの物理層情報を指示する情報フィールドを含むサイドリンク制御情報ＳＣＩを、サイドリンクの物理サイドリンク制御チャネルＰＳＣＣＨを介して送信することを含む、サイドリンクの伝送方法。
【請求項２】
前記物理層情報は、フィードバック情報、符号化率オフセット符号化率オフセット指示、スケジューリングデータ指示、応答要求指示、測定設定、基準信号指示、フィードバック対象指示及びハイブリッド自動再送要求ＨＡＲＱプロセス指示の少なくとも１つを含む、請求項１に記載のサイドリンクの伝送方法。
【請求項３】
前記情報フィールドは、フィードバック指示フィールド、符号化率オフセット指示フィールド、スケジュールデータ指示フィールド、応答要求指示フィールド、測定設定指示フィールド、基準信号指示フィールド、フィードバック対象指示フィールド及びＨＡＲＱプロセス番号フィールドの少なくとも１つを含む、請求項１に記載のサイドリンクの伝送方法。
【請求項４】
前記フィードバック指示フィールドは、前記サイドリンク制御情報ＳＣＩ又は前記サイドリンク制御情報ＳＣＩによってスケジューリングされる物理サイドリンク共有チャネルＰＳＳＣＨにフィードバック情報が搬送されないことを示す所定の値又は所定のコードポイントを含み、
又は、前記フィードバック指示フィールドは、フィードバック情報を示すフィードバックビットを含み、
又は、前記フィードバック指示フィールドは、所定のセットのうち、前記サイドリンク制御情報ＳＣＩによってスケジューリングされるＰＳＳＣＨにフィードバック情報が搬送又は多重化されていることを示す数値を含む、請求項３に記載のサイドリンクの伝送方法。
【請求項５】
前記フィードバック情報のフィードバックビット数が特定の閾値よりも小さい場合、前記フィードバック指示フィールドは、前記フィードバックビットを含み、
前記フィードバック情報のフィードバックビット数が前記特定の閾値以上である場合、前記フィードバック指示フィールドは、前記所定のセット内の数値を含む、請求項４に記載のサイドリンクの伝送方法。
【請求項６】
前記フィードバック情報は、再送応答情報及びチャネル状態情報測定結果の少なくとも１つを含む、請求項２又は４に記載の方法。
【請求項７】
前記ＰＳＳＣＨにおけるフィードバック情報の符号化及びマッピング方式は、前記数値に対応し、及び／又は、前記ＰＳＳＣＨにおけるフィードバック情報のフィードバックビット数は、前記数値に対応する、請求項４に記載のサイドリンクの伝送方法。
【請求項８】
前記サイドリンク制御情報ＳＣＩによってスケジューリングされるＰＳＳＣＨにフィードバック情報が搬送又は多重化されている場合、前記符号化率オフセット指示フィールドは、前記ＰＳＳＣＨのビットマッピングに使用される符号化率オフセット設定を指示し、
又は、前記符号化率オフセット指示フィールドは、前記サイドリンク制御情報ＳＣＩ又は前記サイドリンク制御情報ＳＣＩによってスケジューリングされるＰＳＳＣＨにフィードバック情報が搬送されないことを示す所定の値又は所定のコードポイントを含み、
又は、前記符号化率オフセット指示フィールドに含まれる数値が所定の第１部分空間に属する場合、前記符号化率オフセット指示フィールドは、前記フィードバック指示フィールドにフィードバックビットが含まれていることを指示し、前記ＰＳＳＣＨのビットマッピングに使用される符号化率オフセット設定を指示し、
又は、前記符号化率オフセット指示フィールドに含まれる数値が所定の第２部分空間に属する場合、前記符号化率オフセット指示フィールドは、特定のフィードバック方式を指示する、請求項３に記載のサイドリンクの伝送方法。
【請求項９】
前記特定のフィードバック方式は、
前記フィードバック指示フィールドに所定の値又は所定のコードポイントが含まれること、又は、前記フィードバック指示フィールドに特定のタイプのフィードバック情報が含まれること、又は、前記サイドリンク制御情報ＳＣＩによってスケジューリングされるＰＳＳＣＨに上位層データ又は伝送ブロックＴＢが搬送されることなく、フィードバックビットのみが搬送されるか否かを含む、請求項８に記載のサイドリンクの伝送方法。
【請求項１０】
前記スケジューリングデータのスケジューリングデータ指示フィールドは、前記サイドリンク制御情報ＳＣＩによってスケジューリングされるＰＳＳＣＨに上位層データ又は伝送ブロックＴＢが搬送されることなく、フィードバックビットのみが搬送されるか否かを指示し、ここで、前記スケジューリングデータ指示フィールドは、前記サイドリンク制御情報ＳＣＩ内の他のフィールドとは互いに独立したフィールドであるか、又は、前記スケジューリングデータ指示フィールドは、他のフィールド内の少なくとも１つの値又はコードポイントであり、前記他のフィールドは、ＰＳＳＣＨ時間領域又は周波数領域リソース割当フィールド、フィードバック指示フィールド、符号化率オフセット指示フィールド、応答要求指示フィールド、測定設定指示フィールド、基準信号指示フィールド、フィードバック対象指示フィールド情報又はＨＡＲＱプロセス番号フィールドであり、
又は、前記応答要求指示フィールドは、前記ＰＳＳＣＨを受信する端末である受信側が、前記サイドリンク制御情報ＳＣＩによってスケジューリングされるＰＳＳＣＨに対して応答フィードバックを送信するか否かを指示し、
又は、前記測定設定指示フィールドは、サイドリンクチャネル測定を有効にするか否か及び前記サイドリンクチャネル測定の測定設定を指示し、
又は、前記基準信号指示フィールドは、サイドリンク基準信号測定を有効にするか否か及びサイドリンク測定基準信号の基準信号設定を指示し、ここで、サイドリンク基準信号測定を有効にするのであれば、前記サイドリンク制御情報ＳＣＩによってスケジューリングされるＰＳＳＣＨのリソースマッピング位置は、基準信号のリソース位置と重ならず、
又は、前記フィードバック対象指示フィールドは、フィードバックを行う端末である受信側のＩＤ、該受信側のグループＩＤ、ネットワークから該受信側に割り当てた固定ＩＤ、ネットワークから該受信側に割り当てた仮ＩＤ又は切断ＩＤを指示し、
又は、前記ＨＡＲＱプロセス番号フィールドは、前記サイドリンク制御情報ＳＣＩによってスケジューリングされるデータのＨＡＲＱプロセスとＨＡＲＱ−ＡＣＫフィードバックのＨＡＲＱプロセスの少なくとも１つを指示する、請求項３に記載のサイドリンクの伝送方法。
【請求項１１】
前記測定設定指示フィールドと前記基準信号指示フィールドとは、共同で符号化される、請求項１０に記載のサイドリンクの伝送方法。
【請求項１２】
前記情報フィールドに含まれる少なくとも１つのフィールドを、事前の設定、ネットワーク側無線リソース制御ＲＲＣシグナリングによる設定、又は、サイドリンクブロードキャストによる設定で指示する、請求項３に記載のサイドリンクの伝送方法。
【請求項１３】
第２端末に応用されるサイドリンクの伝送方法において、
前記サイドリンクの物理層情報を指示する情報フィールドを含むサイドリンク制御情報ＳＣＩを、サイドリンクのＰＳＣＣＨを介して受信することを含む、サイドリンクの伝送方法。
【請求項１４】
前記物理層情報は、フィードバック情報、符号化率オフセット指示、スケジューリングデータ指示、応答要求指示、測定設定、基準信号指示、フィードバック対象指示及びハイブリッド自動再送要求ＨＡＲＱプロセス指示の少なくとも１つを含む、請求項１３に記載のサイドリンクの伝送方法。
【請求項１５】
前記情報フィールドは、フィードバック指示フィールド、符号化率オフセット指示フィールド、スケジュールデータ指示フィールド、応答要求指示フィールド、測定設定指示フィールド、基準信号指示フィールド、フィードバック対象指示フィールド及びＨＡＲＱプロセス番号フィールドの少なくとも１つを含む、請求項１３に記載のサイドリンクの伝送方法。
【請求項１６】
前記フィードバック指示フィールドは、前記サイドリンク制御情報ＳＣＩ又は前記サイドリンク制御情報ＳＣＩによってスケジューリングされるＰＳＳＣＨにフィードバック情報が搬送されないことを示す所定の値又は所定のコードポイントを含み、
又は、前記フィードバック指示フィールドは、フィードバック情報を示すフィードバックビットを含み、
又は、前記フィードバック指示フィールドは、所定のセットのうち、前記サイドリンク制御情報ＳＣＩによってスケジューリングされるＰＳＳＣＨにフィードバック情報が搬送又は多重化されていることを示す数値を含む、請求項１５に記載のサイドリンクの伝送方法。
【請求項１７】
前記フィードバック情報のフィードバックビット数が特定の閾値よりも小さい場合、前記フィードバック指示フィールドは、前記フィードバックビットを含み、
前記フィードバック情報のフィードバックビット数が前記特定の閾値以上である場合、前記フィードバック指示フィールドは、前記所定のセット内の数値を含む、請求項１６に記載のサイドリンクの伝送方法。
【請求項１８】
前記フィードバック情報は、再送応答情報及びチャネル状態情報測定結果の少なくとも１つを含む、請求項１４又は１６に記載のサイドリンクの伝送方法。
【請求項１９】
前記ＰＳＳＣＨにおけるフィードバック情報の符号化及びマッピング方式は、前記数値に対応し、及び／又は、前記ＰＳＳＣＨにおけるフィードバック情報のフィードバックビット数は、前記数値に対応する、請求項１６に記載のサイドリンクの伝送方法。
【請求項２０】
前記サイドリンク制御情報ＳＣＩによってスケジューリングされるＰＳＳＣＨにフィードバック情報が搬送又は多重化されている場合、前記符号化率オフセット指示フィールドは、前記ＰＳＳＣＨのビットマッピングに使用される符号化率オフセット設定を指示し、
又は、前記符号化率オフセット指示フィールドは、前記サイドリンク制御情報ＳＣＩ又は前記サイドリンク制御情報ＳＣＩによってスケジューリングされるＰＳＳＣＨにフィードバック情報が搬送されないことを示す所定の値又は所定のコードポイントを含み、
又は、前記符号化率オフセット指示フィールドに含まれる数値が所定の第１部分空間に属する場合、前記符号化率オフセット指示フィールドは、前記フィードバック指示フィールドにフィードバックビットが含まれていることを指示し、前記ＰＳＳＣＨのビットマッピングに使用される符号化率オフセット設定を指示し、
又は、前記符号化率オフセット指示フィールドに含まれる数値が所定の第２部分空間に属する場合、前記符号化率オフセット指示フィールドは、特定のフィードバック方式を指示する、請求項１５に記載のサイドリンクの伝送方法。
【請求項２１】
前記特定のフィードバック方式は、
前記フィードバック指示フィールドに所定の値又は所定のコードポイントが含まれること、又は、前記フィードバック指示フィールドに特定のタイプのフィードバック情報が含まれること、又は、前記サイドリンク制御情報ＳＣＩによってスケジューリングされるＰＳＳＣＨに上位層データ又は伝送ブロックＴＢが搬送されることなく、フィードバックビットのみが搬送されるか否かを含む、請求項２０に記載のサイドリンクの伝送方法。
【請求項２２】
前記スケジューリングデータのスケジューリングデータ指示フィールドは、前記サイドリンク制御情報ＳＣＩによってスケジューリングされるＰＳＳＣＨに上位層データ又は伝送ブロックＴＢが搬送されることなく、フィードバックビットのみが搬送されるか否かを指示し、ここで、前記スケジューリングデータ指示フィールドは、前記サイドリンク制御情報ＳＣＩ内の他のフィールドとは互いに独立したフィールドであるか、又は、前記スケジューリングデータ指示フィールドは、他のフィールド内の少なくとも１つの値又はコードポイントであり、前記他のフィールドは、ＰＳＳＣＨ時間領域又は周波数領域リソース割当フィールド、フィードバック指示フィールド、符号化率オフセット指示フィールド、応答要求指示フィールド、測定設定指示フィールド、基準信号指示フィールド、フィードバック対象指示フィールド情報又はＨＡＲＱプロセス番号フィールドであり、
又は、前記応答要求指示フィールドは、前記ＰＳＳＣＨを受信する端末である受信側が、前記サイドリンク制御情報ＳＣＩによってスケジューリングされるＰＳＳＣＨに対して応答フィードバックを送信するか否かを指示し、
又は、前記測定設定指示フィールドは、サイドリンクチャネル測定を有効にするか否か及び前記サイドリンクチャネル測定の測定設定を指示し、
又は、前記基準信号指示フィールドは、サイドリンク基準信号測定を有効にするか否か及びサイドリンク測定基準信号の基準信号設定を指示し、ここで、サイドリンク基準信号測定を有効にするのであれば、前記サイドリンク制御情報ＳＣＩによってスケジューリングされるＰＳＳＣＨのリソースマッピング位置は、基準信号のリソース位置と重ならず、
又は、前記フィードバック対象指示フィールドは、フィードバックを行う端末である受信側のＩＤ、該受信側のグループＩＤ、ネットワークから該受信側に割り当てた固定ＩＤ、ネットワークから該受信側に割り当てた仮ＩＤ又は切断ＩＤを指示し、
又は、前記ＨＡＲＱプロセス番号フィールドは、前記サイドリンク制御情報ＳＣＩによってスケジューリングされるデータのＨＡＲＱプロセスとＨＡＲＱ−ＡＣＫフィードバックのＨＡＲＱプロセスの少なくとも１つを指示する、請求項１５に記載のサイドリンクの伝送方法。
【請求項２３】
前記測定設定指示フィールドと前記基準信号指示フィールドとは、共同で符号化される、請求項２２に記載のサイドリンクの伝送方法。
【請求項２４】
前記情報フィールドに含まれる少なくとも１つのフィールドを、事前の設定、ネットワーク側無線リソース制御ＲＲＣシグナリングによる設定、又は、サイドリンクブロードキャストによる設定で指示する、請求項１５に記載のサイドリンクの伝送方法。
【請求項２５】
第１端末であって、
サイドリンクのＰＳＣＣＨを介して、前記サイドリンクの物理層情報を指示する情報フィールドを含むサイドリンク制御情報ＳＣＩを送信する送信モジュールを含む、端末。
【請求項２６】
第２端末であって、
サイドリンクのＰＳＣＣＨを介して、前記サイドリンクの物理層情報を指示する情報フィールドを含むサイドリンク制御情報ＳＣＩを受信する受信モジュールを含む、端末。
【請求項２７】
第１端末であって、メモリと、プロセッサと、前記メモリに格納されて前記プロセッサで動作可能なコンピュータプログラムを含む端末において、
前記コンピュータプログラムが前記プロセッサによって実行されると、請求項１〜１２のいずれか一項に記載のサイドリンクの伝送方法のステップが実現される、端末。
【請求項２８】
第２端末であって、メモリと、プロセッサと、前記メモリに格納されて前記プロセッサで動作可能なコンピュータプログラムを含む端末において、
前記コンピュータプログラムが前記プロセッサによって実行されると、請求項１３〜２４のいずれか一項に記載のサイドリンクの伝送方法のステップが実現される、端末。
【請求項２９】
コンピュータプログラムが格納されているコンピュータ読み取り可能な記憶媒体であって、
前記コンピュータプログラムがプロセッサによって実行されると、請求項１〜１２のいずれか一項に記載のサイドリンクの伝送方法のステップが実現され、又は、前記コンピュータプログラムがプロセッサによって実行されると、請求項１３〜２４のいずれか一項に記載のサイドリンクの伝送方法のステップが実現される、コンピュータ読み取り可能な記憶媒体。
【発明の詳細な説明】
【技術分野】
【０００１】
本願は、２０１８年４月１３日に中国特許庁に提出された中国特許出願２０１８１０３３３５９１．２の優先権を主張し、その全ての内容が援用によりここに取り込まれる。
本開示は、通信技術分野に係り、特にサイドリンクの伝送方法及び端末に係る。
【背景技術】
【０００２】
現在、ＬＴＥ（Ｌｏｎｇ  Ｔｅｒｍ  Ｅｖｏｌｕｔｉｏｎ）システムでは、ネットワーク機器を介さない端末間の直接の伝送のためのサイドリンク（Ｓｉｄｅｌｉｎｋ）がサポートされる。しかしながら、現在のＬＴＥシステムでは、サイドリンク伝送は、ブロードキャストに基づいて行われ、受信側から送信側に何らの情報もフィードバックしない。例えば、データを１部しか送信しないと、受信側で様々な理由で受信できない可能性が高く、システムの伝送の信頼性が低い。送信側でデータ送信の信頼性を確保するために同数分のブロードキャストを行うと、システムのリソース利用効率や周波数効率が低下する。現在のサイドリンクの伝送性能は、比較的悪いことがわかる。
【発明の概要】
【発明が解決しようとする課題】
【０００３】
本開示の実施例は、サイドリンクの伝送性能が比較的悪いという問題を解決するために、サイドリンクの伝送方法及び端末を提供する。
【課題を解決するための手段】
【０００４】
第１態様として、本開示の実施例は、第１端末に応用されるサイドリンクサイドリンクの伝送方法を提供し、前記サイドリンクの物理層情報を指示する情報フィールドを含むサイドリンク制御情報ＳＣＩ（Ｓｉｄｅｌｉｎｋ  Ｃｏｎｔｒｏｌ  Ｉｎｆｏｒｍａｔｉｏｎ）を、サイドリンクの物理サイドリンク制御チャネルＰＳＣＣＨ（Ｐｈｙｓｉｃａｌ  Ｓｉｄｅｌｉｎｋ  Ｃｏｎｔｒｏｌ  Ｃｈａｎｎｅｌ）を介して送信することを含む。
【０００５】
第２態様として、本開示の実施例は、第２端末に応用されるサイドリンクの伝送方法を更に提供し、前記サイドリンクの物理層情報を指示する情報フィールドを含むＳＣＩを、サイドリンクのＰＳＣＣＨを介して受信することを含む。
【０００６】
第３態様として、本開示の実施例は、端末を更に提供する。前記端末は、第１端末であり、サイドリンクのＰＳＣＣＨを介して、前記サイドリンクの物理層情報を指示する情報フィールドを含むＳＣＩを送信する送信モジュールを含む。
【０００７】
第４態様として、本開示の実施例は、端末を更に提供する。前記端末は、第２端末であり、サイドリンクのＰＳＣＣＨを介して、前記サイドリンクの物理層情報を指示する情報フィールドを含むＳＣＩを受信する受信モジュールを含む。
【０００８】
第５態様として、本開示の実施例は、端末を更に提供する。前記端末は、第１端末であり、メモリと、プロセッサと、前記メモリに格納されて前記プロセッサで動作可能なコンピュータプログラムを含み、前記コンピュータプログラムが前記プロセッサによって実行されると、本開示の実施例に係る第１端末側のサイドリンクの伝送方法のステップが実現される。
【０００９】
第６態様として、本開示の実施例は、端末を更に提供する。前記端末は、第２端末であり、メモリと、プロセッサと、前記メモリに格納されて前記プロセッサで動作可能なコンピュータプログラムを含み、前記コンピュータプログラムが前記プロセッサによって実行されると、本開示の実施例に係る第２端末側のサイドリンクの伝送方法のステップが実現される。
【００１０】
第７態様として、本開示の実施例は、コンピュータプログラムが格納されているコンピュータ読み取り可能な記憶媒体を更に提供し、前記コンピュータプログラムがプロセッサによって実行されると、本開示の実施例に係る第１端末側のサイドリンクの伝送方法のステップが実現され、又は、前記コンピュータプログラムがプロセッサによって実行されると、本開示の実施例に係る第２端末側のサイドリンクの伝送方法のステップが実現される。
【発明の効果】
【００１１】
本開示の実施例において、前記サイドリンクの物理層情報を指示する情報フィールドを含むＳＣＩをサイドリンクのＰＳＣＣＨを介して送信する。それによって、サイドリンクの伝送性能を向上させることができる。
【図面の簡単な説明】
【００１２】
【図１】本開示の実施例の応用可能なネットワークシステムの構造図である。
【図２】本開示の実施例に係るサイドリンクの伝送方法のフローチャートである。
【図３】本開示の実施例に係る別のサイドリンクの伝送方法のフローチャートである。
【図４】本開示の実施例に係る端末の構造図である。
【図５】本開示の実施例に係る別の端末の構造図である。
【図６】本開示の実施例に係る別の端末の構造図である。
【発明を実施するための形態】
【００１３】
図１を参照する。図１は、本開示の実施例の応用可能なネットワークシステムの構造図であり、図１に示すように、複数の端末を含む。ここで、端末は、端末機器又はユーザ端末ＵＥ（Ｕｓｅｒ  Ｅｑｕｉｐｍｅｎｔ）とも呼ばれる。端末は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、ＰＤＡ（Ｐｅｒｓｏｎａｌ  Ｄｉｇｉｔａｌ  Ａｓｓｉｓｔａｎｔ）、ＭＩＤ（Ｍｏｂｉｌｅ  Ｉｎｔｅｒｎｅｔ  Ｄｅｖｉｃｅ）、ウェアラブルデバイス（Ｗｅａｒａｂｌｅ  Ｄｅｖｉｃｅ）又は車載機器などの端末側機器である。なお、本開示の実施例において、端末の具体的なタイプは、限定されない。本開示の実施例において、複数の端末間は、例えば、データ伝送やシグナリング伝送などのサイドリンクを介した通信が可能である。また、複数の端末間のサイドリンクを介した通信は、１対１で通信してもよく、１対多で通信してもよく、又は多対１で通信してもよいが、これについて、本開示の実施例では限定されない。もちろん、上記ネットワークシステムは、シグナリング伝送やデータ伝送などの各端末との通信が可能なネットワーク側機器を更に含んでもよい。もちろん、一部のシナリオでは、一部の端末がネットワークカバレッジ外にあるなど、一部の端末がネットワーク側機器と通信することができないこともある。ネットワーク側機器は、４Ｇ基地局、５Ｇ基地局、その後のバージョンの基地局、又は、他の通信システムの基地局であってもよく、又は、ノードＢ、発展型ノードＢ、又は、該当技術分野における他の用語と称されてもよい。同様の技術的効果を奏する限り、基地局は、特定の技術的用語に限定されない。なお、本開示の実施例において、５Ｇ基地局を例として説明するが、ネットワーク側機器の具体的な種類は、限定されない。
【００１４】
図２を参照する。図２は、本開示の実施例に係るサイドリンクの伝送方法のフローチャートである。この方法は、第１端末に応用され、図２に示すように、サイドリンクのＰＳＣＣＨを介してＳＣＩを送信するステップ２０１を含む。ここで、ＳＣＩは、サイドリンクの物理層情報を指示する情報フィールドを含む。
【００１５】
ここで、上記ＳＣＩは、相手側（第２端末と呼ぶ）に送信するＳＣＩであり、例えば、上記第１端末がサイドリンクを用いてデータを伝送する前又はデータ伝送中に相手側に送信するＳＣＩである。上記物理層情報は、上記サイドリンクの物理層の伝送状態又はチャネル品質などの関連情報を示す。例えば、上記物理層情報は、再送応答又はチャネル状態情報ＣＳＩ（ｃｈａｎｎｅｌ  ｓｔａｔｅ  ｉｎｆｏｒｍａｔｉｏｎ）などの物理層のフィードバック情報である。又は、上記物理層情報は、物理層の測定設定、基準信号設定などの情報である。ＳＣＩは、サイドリンクの物理層情報を指示する情報フィールドを含むので、第１の端末は、相手側とのデータ伝送中に、物理層情報に基づいて、対応する伝送を行うことができる。
【００１６】
なお、上記第１端末は、サイドリンクで受信側の役割を果たすことも、送信側の役割を果たすこともできるが、これについて、限定されない。サイドリンク伝送シナリオにおいて、シグナリングやデータ伝送は、いずれも双方向で行われるからである。
【００１７】
ステップ２０１において、ＳＣＩは、情報フィールドによって物理層情報を指示することができるので、受信側が送信側に何らの情報もフィードバックしない従来技術と比較して、本開示の実施例において、サイドリンクの伝送性能を向上させることができる。
【００１８】
また、ＳＣＩを介してサイドリンク物理層のチャネル測定を設定し、物理層フィードバック情報を伝送することができるので、第１端末から相手側へ物理層ポイントツーポイント接続を確立し、サイドリンクで端末が物理層ユニキャスト伝送を行うことをサポートすることができ、再送応答又はＣＳＩなどの情報をフィードバックすることができ、端末間でビームペアリングを行うこともでき、システムリソース利用効率及びスペクトル効率を向上させてサイドリンクの伝送性能を向上させるという効果を奏する。例えば、第１端末と第２端末が、上記物理層フィードバック情報に基づいてビームペアリングを行い、ペアリングされたビームを用いてデータ伝送を行ってもよいし、第２端末が、第１端末からフィードバックされた上記物理層フィードバック情報に基づいてデータ再送を行ってもよいし、同様に、第１端末が、第２端末からフィードバックされた物理層フィードバック情報に基づいてデータ再送などの動作を行ってもよい。
【００１９】
なお、本開示の実施例に係る上記方法は、ＬＴＥのサイドリンク又は５Ｇ  ＮＲ  サイドリンクに適用可能であるが、これについて限定されず、基本的に同じ機能を実現することができる限り、他の通信システム、例えば、６Ｇシステム又は他のサイドリンクを応用することができる通信システムなどにも適用する。
【００２０】
選択可能な実施形態として、物理層情報は、フィードバック情報、符号化率オフセット（Ｂｅｔａ−ｏｆｆｓｅｔ）指示、スケジューリングデータ指示、応答要求指示、測定設定、基準信号指示、フィードバック対象指示及びハイブリッド自動再送要求ＨＡＲＱ（Ｈｙｂｒｉｄ  Ａｕｔｏｍａｔｉｃ  Ｒｅｐｅａｔ  Ｒｅｑｕｅｓｔ）プロセス指示の少なくとも１つを含む。
【００２１】
ここで、上記フィードバック情報は、フィードバック情報、例えば、物理サイドリンク共有チャネルＰＳＳＣＨ（Ｐｈｙｓｉｃａｌ  Ｓｉｄｅｌｉｎｋ  Ｓｈａｒｅｄ  Ｃｈａｎｎｅｌ）の伝送応答、又はハイブリッド自動再送応答ＨＡＲＱ−ＡＣＫ（Ｈｙｂｒｉｄ  Ａｕｔｏｍａｔｉｃ  Ｒｅｐｅａｔ  Ｒｅｑｕｅｓｔ  ａｃｋｎｏｗｌｅｄｇｅｍｅｎｔ）を伝送する。又は、上記フィードバック情報は、測定フィードバック情報、例えば、ＣＳＩである。
【００２２】
選択可能に、本開示の実施例のフィードバック情報は、再送応答情報及びチャネル状態情報測定結果の少なくとも１つを含む。
【００２３】
フィードバック受信に失敗すると、送信側がフィードバックに基づいて再送を行うことができるので、再送応答情報により、サイドリンク伝送データの成功率を向上させることができ、ブラインド再送を回避することもできる。また、上記チャネル状態情報測定結果により、例えばビームペアリングを行うなどの伝送適応を実現して、伝送性能を向上させることができる。
【００２４】
もちろん、上記フィードバック情報は、他の端末間でフィードバック可能な情報であってもよいが、これについて、限定されない。フィードバック情報により、データ伝送の成功率を向上させることができ、ビームペアリングなどのフィードバック情報に基づく適応的な伝送を行うこともできる。上記フィードバック情報により、サイドリンクの伝送性能を向上させることができることが分かる。
【００２５】
上記符号化率オフセット指示は、フィードバックビットがＰＳＳＣＨに多重化されて伝送される際にフィードバックビットとＰＳＳＣＨのリソースマッピングに実際に使用される符号化率オフセット設定を指示する。符号化率オフセット設定は、フィードバックビットに割り当てられるリソースユニットＲＥ（Ｒｅｓｏｕｒｃｅ  Ｅｌｅｍｅｎｔ）の数を指示する。符号化率オフセット指示により、端末間のインタラクティブ性能、ひいてはサイドリンクの伝送性能を向上させることができる。
【００２６】
上記スケジューリングデータ指示は、ＰＳＳＣＨに上位層データ又は伝送ブロックＴＢ（Ｔｒａｎｓｐｏｒｔ  Ｂｌｏｃｋ）が搬送されることなく、フィードバックビットのみが搬送されることを指示する。スケジューリングデータ指示により、端末間のインタラクティブ性能、ひいてはサイドリンクの伝送性能を向上させることができる。
【００２７】
上記応答要求指示は、受信側がＳＣＩによってスケジューリングされるＰＳＳＣＨに対して応答フィードバックを送信するか否かを指示する。応答要求指示により、受信側がフィードバックを行うか否かを指示することで、受信側がフィードバックを行わず、又は受信側が不必要なフィードバックを行うことを回避して、サイドリンクの伝送性能を向上させることができる。もちろん、本開示の実施例において、フィードバックを行うか否かは、予め設定されてもよい。
【００２８】
上記測定設定は、サイドリンク測定を有効にするか否か、及び有効にされた測定設定を指示する。測定設定により、サイドリンクの測定性能を向上させることができる。
【００２９】
上記基準信号指示は、サイドリンク基準信号測定を有効にするか否か、及びサイドリンク測定基準信号の基準信号設定を指示する。ここで、サイドリンク基準信号測定を有効にする場合、ＳＣＩによってスケジューリングされるＰＳＳＣＨのリソースマッピング位置は、基準信号のリソース位置と重ならない。基準信号指示により、サイドリンクの測定性能を向上させることができる。
【００３０】
上記フィードバック対象指示は、例えば、ＩＤ、グループＩＤ、固定ＩＤ、仮ＩＤ、切断ＩＤ（ｔｒｕｎｃａｔｅｄ  ＩＤ）などの受信側の識別情報を指示する。フィードバック対象指示により、サイドリンクのフィードバック性能を向上させることができる。
【００３１】
上記ＨＡＲＱプロセス指示は、ＳＣＩによってスケジューリングされるデータのＨＡＲＱプロセスとＨＡＲＱ−ＡＣＫフィードバックのＨＡＲＱプロセスの少なくとも１つを指示することによって、エラー発生を回避し、サイドリンクの伝送性能を向上させ、端末間のプロセス不一致を回避することができる。
【００３２】
なお、上記物理層情報は、共同で符号化してもよいし、一部の情報が異なる独立フィールドで指示されてもよいが、これについて限定されない。また、どの情報が上記物理層情報に存在するかは、事前の設定、ネットワーク側無線リソース制御ＲＲＣ（Ｒａｄｉｏ  Ｒｅｓｏｕｒｃｅ  Ｃｏｎｔｒｏｌ）シグナリングによる設定、又はサイドリンクブロードキャストによる設定などで指示される。
【００３３】
選択可能な実施形態として、情報フィールドは、フィードバック指示フィールド、符号化率オフセット指示フィールド、スケジュールデータ指示フィールド、応答要求指示フィールド、測定設定指示フィールド、基準信号指示フィールド、フィードバック対象指示フィールド及びＨＡＲＱプロセス番号フィールドの少なくとも１つを含む。
【００３４】
ここで、上記フィードバック指示フィールドは、フィードバック情報を含み、符号化率オフセット指示フィールドは、符号化率オフセット指示を含み、上記スケジュールデータ指示フィールドは、スケジュールデータ指示を含む。上記応答要求指示フィールドは、応答要求指示を含み、上記測定設定指示フィールドは、測定設定指示を含み、上記基準信号指示フィールドは、基準信号指示を含む。上記フィードバック対象指示フィールドは、フィードバック対象指示を含み、上記ＨＡＲＱプロセス番号フィールドは、ＨＡＲＱプロセス指示を含む。
【００３５】
本実施形態において、上記ＳＣＩが上記少なくとも１つのフィールドを含むことができるので、サイドリンクの伝送性能を更に向上させることができる。
【００３６】
選択可能に、フィードバック指示フィールドは、ＳＣＩ又はＳＣＩによってスケジューリングされるＰＳＳＣＨにフィードバック情報が搬送されないことを示す所定の値又は所定のコードポイント（ｃｏｄｅ  ｐｏｉｎｔ）を含む。又は、フィードバック指示フィールドは、フィードバック情報を示すフィードバックビットを含む。又は、フィードバック指示フィールドは、所定のセットのうち、ＳＣＩによってスケジューリングされるＰＳＳＣＨにフィードバック情報が搬送又は多重化されていることを示す数値を含む。
【００３７】
ここで、上記所定の値、所定のコードポイント、及び所定のセットは、プロトコルで予め定義されたものであってもよく、ネットワーク側で予め設定されたものであってもよいが、これについて、限定されない。また、上記所定のセット内の基数（ｃａｒｄｉｎａｌｉｔｙ）又は要素数は、１以上である。且つ、上記各種の実施形態において、上記フィードバック指示フィールドの長さは、固定であってもよく、例えば、Ｍビット（Ｍは、１以上に設定された整数）である。
【００３８】
本実施形態において、フィードバック指示フィールドに所定の値又は所定のコードポイントが含まれるのであれば、フィードバックを行わないように指示することを実現し、フィードバックが必要とされない一部のシナリオにおいてフィードバック指示フィールドによって指示することによって、送信側が受信側のフィードバック挙動を待つことを回避して、送信側と受信側との間の伝送効率を向上させる。
【００３９】
また、本実施形態において、フィードバック指示フィールドにフィードバックビットを直接含めることを実現し、つまり、ＳＣＩによりフィードバックを行うことによってフィードバック効率を向上させることができる。ここで、上記フィードバック指示フィールドに含まれるフィードバックビットは、全てのタイプのフィードバックビット、又は、特定のタイプ（例えば、ＨＡＲＱ−ＡＣＫ）のビットなどであってもよいが、具体的には、サイドリンクのフィードバック性能を向上させるために、通信ニーズに応じて異なるタイプのフィードバックビットを搬送することができる。
【００４０】
また、本実施形態において、ＰＳＳＣＨにフィードバック情報が搬送又は多重化されていることをフィードバック指示フィールドで指示することを実現することができ、ＰＳＳＣＨにフィードバック情報が搬送又は多重化されていることを実現する。
【００４１】
更に、ＰＳＳＣＨにおけるフィードバック情報の符号化及びマッピング方式は、数値に対応し、及び／又は、ＰＳＳＣＨにおけるフィードバック情報のフィードバックビット数は、数値に対応する。
【００４２】
上記ＰＳＳＣＨにおけるフィードバック情報の符号化及びマッピング方式、フィードバックビット数の少なくとも１つは、上記数値に対応する。即ち、異なる数値は、異なる符号化及びマッピング方式、異なるフィードバックビット数を指示する。これにより、フィードバック情報の符号化及びマッピング方式、フィードバック情報のフィードバックビット数を上記数値から決定することができ、フィードバック情報を正しく復号することができる。
【００４３】
更に、フィードバック情報のフィードバックビット数が特定の閾値よりも小さい場合、フィードバック指示フィールドは、フィードバックビットを含み、フィードバック情報のフィードバックビット数が特定の閾値以上である場合、フィードバック指示フィールドは、所定のセット内の数値を含む。
【００４４】
これら２つの実施形態により、適切な方法を柔軟に選択してフィードバックすることで、サイドリンクのフィードバック性能を向上させることができる。
【００４５】
更に、フィードバック情報は、再送応答情報及びチャネル状態情報測定結果の少なくとも１つを含む。
【００４６】
フィードバック受信に失敗すると、送信側がフィードバックに基づいて再送を行うことができるので、再送応答情報により、サイドリンク伝送データの成功率を向上させることができ、ブラインド再送を回避することもできる。また、上記チャネル状態情報測定結果により、例えばビームペアリングを行うなどの伝送適応を実現して、伝送性能を向上させることができる。
【００４７】
選択可能に、上記符号化率オフセット指示フィールドは、以下のいくつかの実現形態が存在する。
【００４８】
方式１：ＳＣＩによってスケジューリングされるＰＳＳＣＨにフィードバック情報が搬送又は多重化されている場合、符号化率オフセット指示フィールドは、ＰＳＳＣＨのビットマッピングに使用される符号化率オフセット設定を指示する。
【００４９】
この方式では、ＰＳＳＣＨのビットマッピングに使用される符号化率オフセット設定をｅｔａ−ｏｆｆｓｅｔ指示フィールドで指示することを実現し、符号化率オフセット指示フィールドにより、符号化率オフセット設定を決定することができ、対応するＰＳＳＣＨの送信又は受信を行うことによって、伝送性能を向上させる。
【００５０】
方式２：符号化率オフセット指示フィールドは、ＳＣＩ又はＳＣＩによってスケジューリングされるＰＳＳＣＨにフィードバック情報が搬送されないことを示す所定の値又は所定のコードポイントを含む。
【００５１】
本実施形態において、符号化率オフセット指示フィールドとフィードバック指示フィールドとを共に指示することを実現し、両者が同じ機能を実現できる。ここで、上記所定の値又は所定のコードポイントは、上記実施形態で紹介したフィードバック指示フィールドに含まれる所定の値又は所定のコードポイントの関連説明を参照し、ここでは繰り返して記載せず、且つ同じ技術効果を奏することができる。
【００５２】
方式３：符号化率オフセット指示フィールドの値は、２つの部分空間に分割される。ここで、符号化率オフセット指示フィールドに含まれる数値が所定の第１部分空間に属する場合、符号化率オフセット指示フィールドは、フィードバック指示フィールドにフィードバックビットが含まれていることを指示し、ＰＳＳＣＨのビットマッピングに使用される符号化率オフセット設定を指示する。符号化率オフセット指示フィールドに含まれる数値が所定の第２部分空間に属する場合、符号化率オフセット指示フィールドは、特定のフィードバック方式を指示する。
【００５３】
同様に、本実施形態において、符号化率オフセット指示フィールドとフィードバック指示フィールドとを共に指示することを実現し、異なる部分空間の値によって異なるコンテンツを指示することにより、符号化率オフセット指示フィールドの性能を向上させ、異なる通信ニーズに対応する。
【００５４】
また、特定のフィードバック方式は、フィードバック指示フィールドに所定の値又は所定のコードポイントが含まれること、又は、フィードバック指示フィールドに特定のタイプのフィードバック情報が含まれること、又は、ＳＣＩによってスケジューリングされるＰＳＳＣＨに上位層データ又は伝送ブロックＴＢが搬送されることなく、フィードバックビットのみが搬送されるか否かを含む。
【００５５】
もちろん、上記３つのフィードバック方式は、一例に過ぎず、これについて限定されない。ＳＣＩの互換性を高めるために、異なる通信ニーズに応じて上記特定のフィードバック方式を設定することができる。
【００５６】
以下、スケジュールデータ指示フィールド、応答要求指示フィールド、測定設定指示フィールド、基準信号指示フィールド、フィードバック対象指示フィールド、ＨＡＲＱプロセス番号フィールドについてそれぞれ説明する。
【００５７】
選択可能に、スケジューリングデータ指示フィールドは、ＳＣＩによってスケジューリングされるＰＳＳＣＨに上位層データ又は伝送ブロックＴＢが搬送されることなく、フィードバックビットのみが搬送されるか否かを指示する。ここで、スケジューリングデータ指示フィールドは、ＳＣＩ内の他のフィールドとは互いに独立したフィールドである。又は、スケジューリングデータ指示フィールドは、他のフィールド内の少なくとも１つの値又はコードポイントである。他のフィールドは、ＰＳＳＣＨ時間領域又は周波数領域リソース割当フィールド、フィードバック指示フィールド、符号化率オフセット指示フィールド、応答要求指示フィールド、測定設定指示フィールド、基準信号指示フィールド、フィードバック対象指示フィールド情報又はＨＡＲＱプロセス番号フィールドである。
【００５８】
上記スケジューリングデータ指示フィールドにより、上記ＰＳＳＣＨに上位層データ又は伝送ブロックＴＢが搬送されることなく、フィードバックビットのみが搬送されるか否かを指示することができるので、端末間の相互運用性を考慮して、エラーの発生を回避し、例えば、上記ＰＳＳＣＨにフィードバックビットのみが搬送されることで、受信側でデータ受信方式でＰＳＳＣＨを受信することを回避することができる。また、上記スケジュールデータ指示フィールドが他のフィールド内の少なくとも１つの値又はコードポイントであるため、シグナリングオーバーヘッドを節約することができる。
【００５９】
選択可能に、応答要求指示フィールドは、ＰＳＳＣＨを受信する端末である受信側が、ＳＣＩによってスケジューリングされるＰＳＳＣＨに対して応答フィードバックを送信するか否かを指示する。
【００６０】
なお、ＰＳＳＣＨ伝送又はシグナリング伝送中に、第１端末が送信側としても受信側としてもよいので、上記受信側は、上記第１端末でもよいし、他の端末でもよい。
【００６１】
上記応答指示フィールドにより、受信側がフィードバックを行わず、又は受信側が不必要なフィードバックを行うことを回避し、サイドリンクの伝送性能を向上させることができる。もちろん、本開示の実施例において、フィードバックを行うか否かは、予め設定されてもよい。
【００６２】
選択可能に、測定設定指示フィールドは、サイドリンクチャネル測定を有効にするか否か及びサイドリンクチャネル測定の測定設定を指示する。
【００６３】
上記測定設定指示フィールドにより、サイドリンクチャネル測定を設定することができ、サイドリンクの測定性能を向上させることができる。
【００６４】
選択可能に、基準信号指示フィールドは、サイドリンク基準信号測定を有効にするか否か及びサイドリンク測定基準信号の基準信号設定を指示する。ここで、サイドリンク基準信号測定を有効にするのであれば、ＳＣＩによってスケジューリングされるＰＳＳＣＨのリソースマッピング位置は、基準信号のリソース位置と重ならない。
【００６５】
ここで、上記ＳＣＩによってスケジューリングされるＰＳＳＣＨのリソースマッピング位置と基準信号のリソース位置とは重ならないことは、基準信号の時間周波数位置を避けてＰＳＳＣＨのリソースマッピングを行うと理解でき、基準信号の測定性能を向上させる。
【００６６】
上記基準信号指示フィールドにより、サイドリンクの測定性能を向上させることができる。
【００６７】
更に、測定設定指示フィールドと基準信号指示フィールドとは、共同で符号化される。シグナリングオーバーヘッドを削減する。
【００６８】
選択可能に、フィードバック対象指示フィールドは、フィードバックを行う端末である受信側のＩＤ、受信側のグループＩＤ、ネットワークから受信側に割り当てた固定ＩＤ、ネットワークから受信側に割り当てた仮ＩＤ又は切断ＩＤを指示する。
【００６９】
同様に、ＰＳＳＣＨ伝送又はシグナリング伝送中に、第１端末が送信側としても受信側としてもよいので、上記受信側は、上記第１端末でもよいし、他の端末でもよい。
【００７０】
上記フィードバック対象指示フィールドにより、サイドリンクのフィードバック性能を向上させることができる。
【００７１】
選択可能に、ＨＡＲＱプロセス番号フィールドは、ＳＣＩによってスケジューリングされるデータのＨＡＲＱプロセスとＨＡＲＱ−ＡＣＫフィードバックのＨＡＲＱプロセスの少なくとも１つを指示する。
【００７２】
上記ＨＡＲＱプロセス番号フィールドにより、サイドリンクの伝送性能を向上させることができ、エラーの発生を回避し、サイドリンクの伝送性能を向上させることができ、これにより、端末間のプロセス不一致を回避することができる。
【００７３】
選択可能に、本開示の実施例において、情報フィールドに含まれる少なくとも１つのフィールドを、事前の設定、ネットワーク側ＲＲＣシグナリングによる設定、又は、サイドリンクブロードキャストによる設定で指示する。上記ＳＣＩに存在するフィールドは、事前の設定、ネットワーク側ＲＲＣシグナリングによる設定、又は、ＵＥ  サイドリンクブロードキャストによる設定で指示され、ＳＣＩの柔軟性を向上させ、シグナリングオーバーヘッドを節約し、各種類の端末のタイプ又は通信ニーズを満たすことができる。
【００７４】
以下、複数の例を通じて、上記ＳＣＩに含まれるフィールドを説明する。
【００７５】
例１：１つのＳＣＩ例として、ＳＣＩは、フィードバック指示フィールド、フィードバック対象指示フィールド及びＨＡＲＱプロセス番号を含むが、それらに限られない。
【００７６】
ここで、フィードバック指示フィールドは、４ビットであり、フィードバックビットを搬送し、最大で４ビットのフィードバック（例えば、２ビットのＨＡＲＱ−ＡＣＫ及び２ビットのＣＳＩ）を搬送する。
【００７７】
なお、上記数字は、説明の便宜上のものであり、本開示の実施例において、上記具体的な数字に限定されない。
【００７８】
また、フィードバック対象指示フィールドは、８又は１６ビットであり、上記フィードバックビットの１つの受信端末又は１つのグループの受信端末を指示する。受信端末のＩＤ、グループＩＤ、ネットワークから割り当てられた固定ＩＤ又は仮ＩＤ（例えば、ＲＮＴＩ（Ｒａｄｉｏ  Ｎｅｔｗｏｒｋ  Ｔｅｍｐｏｒａｒｙ  Ｉｄｅｎｔｉｔｙ））又は切断ＩＤ（ｔｒｕｎｃａｔｅｄ  ＩＤ）などである。
【００７９】
ここで、ＨＡＲＱプロセス番号は、１〜４ビットであり、ＳＣＩによってスケジューリングされるＨＡＲＱプロセス、又はＨＡＲＱ−ＡＣＫフィードバックのＨＡＲＱプロセス、又は両方の組み合わせを指示する。
【００８０】
例２：１つのＳＣＩ例として、ＳＣＩがＰＳＳＣＨ伝送をスケジュールし、且つ実際のフィードバックビットがＰＳＳＣＨで多重化されて伝送される。
【００８１】
ＳＣＩのフィードバック指示フィールドは、２ビットであり、搬送／多重化されているフィードバックのビット数、符号化及びマッピング方式を指示する。
【００８２】
ここで、フィードバック指示フィールド＝０は、ＰＳＳＣＨにフィードバックビットが搬送／多重化されていないことを示す。フィードバック指示フィールド＝１は、フィードバックビット数が１〜１１ビットであり、ブロック符号化が使用されることを示す。フィードバック指示フィールド＝２は、フィードバックビット数が１２〜１９ビットであり、Ｐｏｌａｒ符号化が使用されることを示す。フィードバック指示フィールド＝３は、フィードバックビット数が２０ビットより大きく、Ｐｏｌａｒ符号化が使用されることを示す。ＳＣＩの符号化率オフセット指示フィールドは、ＰＳＳＣＨにフィードバックビットをマッピングする際に使用される符号化率オフセット設定を指示する。
【００８３】
ここで、符号化率オフセットは、事前に設定されるか、ネットワーク側上位層シグナリングによって設定されるか、ＵＥ上位層シグナリングによって設定される。Ｎセットの設定を有し、符号化率オフセット指示フィールドは、ｌｏｇ２（Ｎ）ビットであり、各値又はコードポイントは、符号化率オフセット設定のうちの１セットを指示する。
【００８４】
例３：１つのＳＣＩ例として、ＳＣＩがＰＳＳＣＨ伝送をスケジュールし、且つ実際のフィードバックビットがＰＳＳＣＨで多重化されて伝送され、又はＳＣＩフィードバック指示フィールドに直接搬送される。
【００８５】
ＳＣＩのフィードバック指示フィールドは、３ビットであり、最大で２ビットのフィードバックを搬送する。
【００８６】
ここで、フィードバック指示フィールドの最上位ビットが１である場合、フィードバック指示フィールドの下位２ビットが実際のフィードバックビットを搬送し、且つＰＳＳＣＨがフィードバックビットを搬送しないことを示す。
【００８７】
フィードバック指示フィールドの最上位ビットが０である場合、フィードバックビットがＰＳＳＣＨに多重化されて伝送されることを示し、具体的な内容は、下位２ビットの内容に応じて決定される。下位２ビット＝０は、ＰＳＳＣＨにフィードバックビットが搬送／多重化されていないことを示す。下位２ビット＝１は、フィードバックビット数が１〜１１ビットであり、ブロック符号化が使用されることを示す。下位２ビット＝２は、フィードバックビット数が１２〜１９ビットであり、Ｐｏｌａｒ符号化が使用されることを示す。下位２ビット＝３は、フィードバックビット数が２０ビットよりも大きく、Ｐｏｌａｒ符号化が使用されることを示す。
【００８８】
ＳＣＩの符号化率オフセット指示フィールドは、ＰＳＳＣＨにフィードバックビットをマッピングする際に使用される符号化率オフセット設定を指示する。
【００８９】
ここで、符号化率オフセットは、事前に設定されるか、ネットワーク側上位層シグナリングによって設定されるか、又はＵＥ上位層シグナリングによって設定される。Ｎセットの設定を有し、符号化率オフセット指示フィールドは、ｌｏｇ２（Ｎ）ビットであり、各値又はコードポイントは、符号化率オフセット設定のうちの１セットを指示する。
【００９０】
例４：１つのＳＣＩ例として、ＳＣＩがＰＳＳＣＨ伝送をスケジュールし、且つＣＳＩフィードバックビットがＰＳＳＣＨで多重化されて伝送され、ＨＡＲＱ−ＡＣＫがＳＣＩフィードバック指示フィールドに直接搬送される。
【００９１】
ＳＣＩのフィードバック指示フィールドは、４ビットであり、最大で２ビットのフィードバックを搬送する。
【００９２】
ここで、フィードバック指示フィールドのうちの２ビット（例えば、上位２ビット）は、搬送される実際のフィードバックビットである。
【００９３】
フィードバック指示フィールドの残りの２ビット（例えば、下位２ビット）は、ＰＳＳＣＨに搬送／多重化されるＣＳＩフィードバックのビット数、符号化及びマッピング方式を指示する。下位２ビット＝０は、ＰＳＳＣＨにＣＳＩフィードバックが搬送／多重化されていないことを示す。下位２ビット＝１は、ＣＳＩフィードバックビット数が１〜１１ビットであり、ブロック符号化が使用されることを示す。下位２ビット＝２は、ＣＳＩフィードバックビット数が１２〜１９ビットであり、Ｐｏｌａｒ符号化が使用されることを示す。下位２ビット＝３は、ＣＳＩフィードバックビット数が２０ビットより大きく、Ｐｏｌａｒ符号化が使用されることを示す。
【００９４】
ＳＣＩの符号化率オフセット指示フィールドは、ＰＳＳＣＨにフィードバックビットをマッピングする際に使用される符号化率オフセット設定を指示する。
【００９５】
ここで、符号化率オフセットは、事前に設定されるか、ネットワーク側上位層シグナリングによって設定されるか、ＵＥ上位層シグナリングによって設定される。Ｎセットの設定を有し、符号化率オフセット指示フィールドは、ｌｏｇ２（Ｎ）ビットであり、各値又はコードポイントは、符号化率オフセット設定のうちの１セットを指示する。
【００９６】
例５：１つのＳＣＩ例として、ＳＣＩがＰＳＳＣＨ伝送をスケジュールし、且つ実際のフィードバックビットがＰＳＳＣＨで多重化されて伝送されるか、又はＳＣＩフィードバック指示フィールドに直接搬送される。
【００９７】
ＳＣＩの符号化率オフセット指示フィールドは、３ビットであり、フィードバックビットの位置を指示する（ＰＳＳＣＨに多重化されるか、ＳＣＩフィードバック指示フィールドに搬送されるか）。例えば、符号化率オフセット指示フィールドは、最上位ビットが１である場合、フィードバックビットがＰＳＳＣＨに多重されることを示す。この場合、下位２ビットは、実際に使用される符号化率オフセット設定を指示する。
【００９８】
符号化率オフセット指示フィールドの最上位ビットが０である場合、
下位２ビット＝０は、フィードバックが搬送／多重化されていないことを示す。
下位２ビット＝１は、ＳＣＩのフィードバック指示フィールドにフィードバックビットが搬送されることを示す。
下位２ビット＝２は、ＳＣＩのフィードバック指示フィールドにＨＡＲＱ−ＡＣＫフィードバックが搬送されることを示す。
下位２ビット＝３は、ＳＣＩのフィードバック指示フィールドにＣＳＩフィードバックが搬送されることを示す。
ＳＣＩのフィードバック指示フィールドは、２ビットであり、最大で２ビットのフィードバックを搬送する。
【００９９】
例６：１つのＳＣＩ例として、ＳＣＩがＰＳＳＣＨ伝送をスケジュールし、かつ実際のフィードバックビットがＰＳＳＣＨで多重化されて伝送されるが、又はＳＣＩフィードバック指示フィールドに直接搬送される。
【０１００】
ここで、ＳＣＩのスケジューリングデータ指示フィールドは、１ビットであり、１つの値（例えば、１）に設定される場合、ＰＳＳＣＨに上位層データが搬送されることなく、フィードバックビットのみが搬送される（即ち、ＰＳＳＣＨに伝送ブロックがマッピングされない）ことを示し、もう１つの値（例えば、０）に設定される場合、フィードバックビット及び上位層データ／伝送ブロックが共にＰＳＳＣＨに多重化されて伝送されることを示す。
【０１０１】
ＳＣＩのスケジューリングデータ指示フィールドは、フィードバック指示フィールドと共同で符号化されてもよい。その場合、独立したスケジューリングデータ指示フィールドは必要なく、フィードバック指示フィールドのいずれかの値又はコードポイントを用いて、ＰＳＳＣＨ内にフィードバックビットのみが搬送されることを指示する。これにより、ＳＣＩビットのオーバーヘッドを削減することができる。
【０１０２】
例２を例にとると、ＳＣＩのフィードバック指示フィールドは、２ビットであり、且つそのうちの１つの値は、ＰＳＳＣＨ内にフィードバックビットのみが搬送されることを指示する。
フィードバック指示フィールド＝０は、ＰＳＳＣＨにフィードバックビットが搬送／多重化されていないことを示す。
フィードバック指示フィールド＝１は、ＰＳＳＣＨにフィードバックビットのみが搬送されることを示す。
フィードバック指示フィールド＝２は、フィードバックビット数が１〜１１ビットであり、ブロック符号化が使用されることを示す。
フィードバック指示フィールド＝３は、フィードバックビット数が１２ビットよりも大きく、Ｐｏｌａｒ符号化が使用されることを示す。
【０１０３】
ＳＣＩのスケジューリングデータ指示フィールドは、符号化率オフセット指示フィールドと共同で符号化されてもよい。その場合、独立したスケジューリングデータ指示フィールドは必要なく、符号化率オフセット指示フィールドのいずれかの値又はコードポイントを用いて、ＰＳＳＣＨ内にフィードバックビットのみが搬送されることを指示する。これにより、ＳＣＩビットのオーバーヘッドを削減することができる。
【０１０４】
例５を例にとると、１つの方法として、符号化率オフセット指示フィールドの最上位ビットが０である場合、下位２ビットで指示される実際に使用される符号化率オフセット設定のうちの１セットの設定は、ＰＳＳＣＨにフィードバックビットのみが搬送されることを指示する。もう１つの方法として、符号化率オフセット指示フィールドの最上位ビットが１である場合、下位２ビットの値又はコードポイント（例えば、下位２ビット＝３）は、ＰＳＳＣＨにフィードバックビットのみが搬送されることを指示する。
【０１０５】
ＳＣＩのスケジューリングデータ指示フィールドは、ＳＣＩによってスケジューリングされるＰＳＳＣＨの時間領域又は周波数領域リソース割当フィールドと共同で符号化されてもよい。その場合、独立したスケジューリングデータ指示フィールドは必要なく、ＰＳＳＣＨの時間領域又は周波数領域リソース割当フィールドのいずれかの値又はコードポイントのセットは、ＳＣＩによってスケジューリングされるＰＳＳＣＨ上位層データ／伝送ブロックが搬送されることなく、フィードバックビットのみが搬送されることを示す。
【０１０６】
例７：１つのＳＣＩ例として、応答要求指示フィールドは、２ビットであり、受信側ＵＥがフィードバックビットを送信するか否か、及びどのようにフィードバックビットを送信するかを指示する。例えば、要求指示フィールド＝０は、受信側ＵＥがフィードバックビットを送信することを要求しないことを示す。要求指示フィールド＝１は、受信側ＵＥが全てのフィードバックビットを送信することを要求することを示す。要求指示フィールド＝２は、受信側ＵＥがＣＳＩフィードバックビットを送信することを要求することを示す。要求指示フィールド＝３は、受信側ＵＥがＨＡＲＱ−ＡＣＫフィードバックビットを送信することを要求することを示す。
【０１０７】
選択可能に、応答要求指示フィールドは、オーバーヘッドを節約するために、１ビットに圧縮されてもよい。この場合、応答要求指示フィールドは、上記内容の１つのサブセットを示す。
【０１０８】
例８：１つのＳＣＩ例として、測定設定指示フィールドが１〜２ビットであり、１つの値（たとえば、０）に設定された場合、測定設定及び測定結果のフィードバックを有効にしないことを示し、他の値に設定された場合、測定設定を有効にすることを示す。異なる値は、異なる測定設定を示す。具体的な測定設定は、事前の設定、ネットワーク側上位層シグナリングによる設定、又はＵＥのサイドリンクブロードキャストによる設定である。
【０１０９】
例９：１つのＳＣＩ例として、基準信号指示フィールドが１〜２ビットであり、１つの値（例えば、０）に設定された場合、測定基準信号を送信しないことを示し、他の値に設定される場合、測定基準信号の送信を有効にすることを示す。異なる値は、異なる基準信号設定を示す。具体的な基準信号設定は、事前の設定、ネットワーク側上位層シグナリングによる設定、又はＵＥのサイドリンクブロードキャストによる設定である。
【０１１０】
測定基準信号が送信されると、基準信号がＰＳＳＣＨに多重化されて伝送されることを指示し、ＰＳＳＣＨのリソースマッピングは、基準信号の時間周波数位置を避ける必要がある。
【０１１１】
例１０：１つのＳＣＩ例として、測定設定指示フィールドが基準信号指示フィールドと共同で符号化され、１〜２ビットであり、１つの値（たとえば、０）に設定された場合、測定基準信号を送信せず、且つ測定設定を有効にしないことを示し、他の値に設定された場合、測定基準信号の送信を有効にすることを示す。異なる値は、異なる基準信号設定と測定設定との組み合わせを示す。具体的な設定の組み合わせは、事前の設定、ネットワーク側上位層シグナリングによる設定、又はＵＥのサイドリンクブロードキャストによる設定である。
【０１１２】
本開示の実施例において、サイドリンクの物理層情報を指示する情報フィールドを含むサイドリンク制御情報ＳＣＩを、サイドリンクの物理サイドリンク制御チャネルＰＳＣＣＨを介して送信する。それによって、サイドリンクの伝送性能を向上させることができる。
【０１１３】
図３を参照する。図３は、本開示の実施例に係る別のサイドリンクの伝送方法のフローチャートである。この方法は、第２端末に応用され、図３に示すように、サイドリンクの物理層情報を指示する情報フィールドを含むＳＣＩを、サイドリンクのＰＳＣＣＨを介して受信するステップ３０１を含む。
【０１１４】
選択可能に、物理層情報は、フィードバック情報、符号化率オフセット指示、スケジューリングデータ指示、応答要求指示、測定設定、基準信号指示、フィードバック対象指示及びハイブリッド自動再送要求ＨＡＲＱプロセス指示の少なくとも１つを含む。
【０１１５】
選択可能に、情報フィールドは、フィードバック指示フィールド、符号化率オフセット指示フィールド、スケジュールデータ指示フィールド、応答要求指示フィールド、測定設定指示フィールド、基準信号指示フィールド、フィードバック対象指示フィールド及びＨＡＲＱプロセス番号フィールドの少なくとも１つを含む。
【０１１６】
選択可能に、フィードバック指示フィールドは、ＳＣＩ又はＳＣＩによってスケジューリングされるＰＳＳＣＨにフィードバック情報が搬送されないことを示す所定の値又は所定のコードポイントを含む。又は、フィードバック指示フィールドは、フィードバック情報を示すフィードバックビットを含む。又は、フィードバック指示フィールドは、所定のセットのうち、ＳＣＩによってスケジューリングされるＰＳＳＣＨにフィードバック情報が搬送又は多重化されていることを示す数値を含む。
【０１１７】
選択可能に、フィードバック情報のフィードバックビット数が特定の閾値よりも小さい場合、フィードバック指示フィールドは、フィードバックビットを含み、フィードバック情報のフィードバックビット数が特定の閾値以上である場合、フィードバック指示フィールドは、所定のセット内の数値を含む。
【０１１８】
選択可能に、フィードバック情報は、再送応答情報及びチャネル状態情報測定結果の少なくとも１つを含む。
【０１１９】
選択可能に、ＰＳＳＣＨにおけるフィードバック情報の符号化及びマッピング方式は、数値に対応し、及び／又は、ＰＳＳＣＨにおけるフィードバック情報のフィードバックビット数は、数値に対応する。
【０１２０】
選択可能に、ＳＣＩによってスケジューリングされるＰＳＳＣＨにフィードバック情報が搬送又は多重化されている場合、符号化率オフセット指示フィールドは、ＰＳＳＣＨのビットマッピングに使用される符号化率オフセット設定を指示する、又は、符号化率オフセット指示フィールドは、ＳＣＩ又はＳＣＩによってスケジューリングされるＰＳＳＣＨにフィードバック情報が搬送されないことを示す所定の値又は所定のコードポイントを含む。又は、符号化率オフセット指示フィールドに含まれる数値が所定の第１部分空間に属する場合、符号化率オフセット指示フィールドは、フィードバック指示フィールドにフィードバックビットが含まれていることを指示し、ＰＳＳＣＨのビットマッピングに使用される符号化率オフセット設定を指示する。又は、符号化率オフセット指示フィールドに含まれる数値が所定の第２部分空間に属する場合、符号化率オフセット指示フィールドは、特定のフィードバック方式を指示する。
【０１２１】
選択可能に、特定のフィードバック方式は、フィードバック指示フィールドに所定の値又は所定のコードポイントが含まれること、又は、フィードバック指示フィールドに特定のタイプのフィードバック情報が含まれること、又は、ＳＣＩによってスケジューリングされるＰＳＳＣＨに上位層データ又は伝送ブロックＴＢが搬送されることなく、フィードバックビットのみが搬送されるか否かを含む。
【０１２２】
選択可能に、スケジューリングデータ指示フィールドは、ＳＣＩによってスケジューリングされるＰＳＳＣＨに上位層データ又は伝送ブロックＴＢが搬送されることなく、フィードバックビットのみが搬送されるか否かを指示する。ここで、スケジューリングデータ指示フィールドは、ＳＣＩ内の他のフィールドとは互いに独立したフィールドであるか、又は、スケジューリングデータ指示フィールドは、他のフィールド内の少なくとも１つの値又はコードポイントであり、他のフィールドは、ＰＳＳＣＨ時間領域又は周波数領域リソース割当フィールド、フィードバック指示フィールド、符号化率オフセット指示フィールド、応答要求指示フィールド、測定設定指示フィールド、基準信号指示フィールド、フィードバック対象指示フィールド情報又はＨＡＲＱプロセス番号フィールドである。又は、応答要求指示フィールドは、ＰＳＳＣＨを受信する端末である受信側が、ＳＣＩによってスケジューリングされるＰＳＳＣＨに対して応答フィードバックを送信するか否かを指示する。又は、測定設定指示フィールドは、サイドリンクチャネル測定を有効にするか否か及びサイドリンクチャネル測定の測定設定を指示する。又は、基準信号指示フィールドは、サイドリンク基準信号測定を有効にするか否か及びサイドリンク測定基準信号の基準信号設定を指示する。ここで、サイドリンク基準信号測定を有効にするのであれば、ＳＣＩによってスケジューリングされるＰＳＳＣＨのリソースマッピング位置は、基準信号のリソース位置と重ならない。又は、フィードバック対象指示フィールドは、フィードバックを行う端末である受信側のＩＤ、受信側のグループＩＤ、ネットワークから受信側に割り当てた固定ＩＤ、ネットワークから受信側に割り当てた仮ＩＤ又は切断ＩＤを指示する。又は、ＨＡＲＱプロセス番号フィールドは、ＳＣＩによってスケジューリングされるデータのＨＡＲＱプロセスとＨＡＲＱ−ＡＣＫフィードバックのＨＡＲＱプロセスの少なくとも１つを指示する。
【０１２３】
選択可能に、測定設定指示フィールドと基準信号指示フィールドとは、共同で符号化される。
【０１２４】
選択可能に、情報フィールドに含まれる少なくとも１つのフィールドを、事前の設定、ネットワーク側無線リソース制御ＲＲＣシグナリングによる設定、又は、サイドリンクブロードキャストによる設定で指示する。
【０１２５】
なお、本実施例は、図２に示す実施例に対応する第２端末の実施形態として、その具体的な実施形態について、図２に示す実施例の関連説明を参照し、同じ効果を奏することもできるので、重複を避けるために、ここでは繰り返して記載しない。
【０１２６】
図４を参照する。図４は、本開示の実施例に係る端末の構造図である。端末は、第１端末である。図４に示すように、端末４００は、サイドリンクのＰＳＣＣＨを介して、サイドリンクの物理層情報を指示する情報フィールドを含むＳＣＩを送信する送信モジュール４０１を含む。
【０１２７】
選択可能に、物理層情報は、フィードバック情報、符号化率オフセット符号化率オフセット指示、スケジューリングデータ指示、応答要求指示、測定設定、基準信号指示、フィードバック対象指示及びハイブリッド自動再送要求ＨＡＲＱプロセス指示の少なくとも１つを含む。
【０１２８】
選択可能に、情報フィールドは、フィードバック指示フィールド、符号化率オフセット指示フィールド、スケジュールデータ指示フィールド、応答要求指示フィールド、測定設定指示フィールド、基準信号指示フィールド、フィードバック対象指示フィールド及びＨＡＲＱプロセス番号フィールドの少なくとも１つを含む。
【０１２９】
選択可能に、フィードバック指示フィールドは、ＳＣＩ又はＳＣＩによってスケジューリングされる物理サイドリンク共有チャネルＰＳＳＣＨにフィードバック情報が搬送されないことを示す所定の値又は所定のコードポイントを含む。又は、フィードバック指示フィールドは、フィードバック情報を示すフィードバックビットを含む。又は、フィードバック指示フィールドは、所定のセットのうち、ＳＣＩによってスケジューリングされるＰＳＳＣＨにフィードバック情報が搬送又は多重化されていることを示す数値を含む。
【０１３０】
選択可能に、フィードバック情報のフィードバックビット数が特定の閾値よりも小さい場合、フィードバック指示フィールドは、フィードバックビットを含み、フィードバック情報のフィードバックビット数が特定の閾値以上である場合、フィードバック指示フィールドは、所定のセット内の数値を含む。
【０１３１】
選択可能に、フィードバック情報は、再送応答情報及びチャネル状態情報測定結果の少なくとも１つを含む。
【０１３２】
選択可能に、ＰＳＳＣＨにおけるフィードバック情報の符号化及びマッピング方式は、数値に対応し、及び／又は、ＰＳＳＣＨにおけるフィードバック情報のフィードバックビット数は、数値に対応する。
【０１３３】
選択可能に、ＳＣＩによってスケジューリングされるＰＳＳＣＨにフィードバック情報が搬送又は多重化されている場合、符号化率オフセット指示フィールドは、ＰＳＳＣＨのビットマッピングに使用される符号化率オフセット設定を指示する。又は、符号化率オフセット指示フィールドは、ＳＣＩ又はＳＣＩによってスケジューリングされるＰＳＳＣＨにフィードバック情報が搬送されないことを示す所定の値又は所定のコードポイントを含む。又は、符号化率オフセット指示フィールドに含まれる数値が所定の第１部分空間に属する場合、符号化率オフセット指示フィールドは、フィードバック指示フィールドにフィードバックビットが含まれていることを指示し、ＰＳＳＣＨのビットマッピングに使用される符号化率オフセット設定を指示する。又は、符号化率オフセット指示フィールドに含まれる数値が所定の第２部分空間に属する場合、符号化率オフセット指示フィールドは、特定のフィードバック方式を指示する。
【０１３４】
選択可能に、特定のフィードバック方式は、フィードバック指示フィールドに所定の値又は所定のコードポイントが含まれること、又は、フィードバック指示フィールドに特定のタイプのフィードバック情報が含まれること、又は、ＳＣＩによってスケジューリングされるＰＳＳＣＨに上位層データ又は伝送ブロックＴＢが搬送されることなく、フィードバックビットのみが搬送されるか否かを含む。
【０１３５】
選択可能に、スケジューリングデータ指示フィールドは、ＳＣＩによってスケジューリングされるＰＳＳＣＨに上位層データ又は伝送ブロックＴＢが搬送されることなく、フィードバックビットのみが搬送されるか否かを指示する。ここで、スケジューリングデータ指示フィールドは、ＳＣＩ内の他のフィールドとは互いに独立したフィールドであるか、又は、スケジューリングデータ指示フィールドは、他のフィールド内の少なくとも１つの値又はコードポイントであり、他のフィールドは、ＰＳＳＣＨ時間領域又は周波数領域リソース割当フィールド、フィードバック指示フィールド、符号化率オフセット指示フィールド、応答要求指示フィールド、測定設定指示フィールド、基準信号指示フィールド、フィードバック対象指示フィールド情報又はＨＡＲＱプロセス番号フィールドである。又は、応答要求指示フィールドは、ＰＳＳＣＨを受信する端末である受信側が、ＳＣＩによってスケジューリングされるＰＳＳＣＨに対して応答フィードバックを送信するか否かを指示する。又は、測定設定指示フィールドは、サイドリンクチャネル測定を有効にするか否か及びサイドリンクチャネル測定の測定設定を指示する。又は、基準信号指示フィールドは、サイドリンク基準信号測定を有効にするか否か及びサイドリンク測定基準信号の基準信号設定を指示する。ここで、サイドリンク基準信号測定を有効にするのであれば、ＳＣＩによってスケジューリングされるＰＳＳＣＨのリソースマッピング位置は、基準信号のリソース位置と重ならない。又は、フィードバック対象指示フィールドは、フィードバックを行う端末である受信側のＩＤ、受信側のグループＩＤ、ネットワークから受信側に割り当てた固定ＩＤ、ネットワークから受信側に割り当てた仮ＩＤ又は切断ＩＤを指示する。又は、ＨＡＲＱプロセス番号フィールドは、ＳＣＩによってスケジューリングされるデータのＨＡＲＱプロセスとＨＡＲＱ−ＡＣＫフィードバックのＨＡＲＱプロセスの少なくとも１つを指示する。
【０１３６】
選択可能に、測定設定指示フィールドと基準信号指示フィールドとは、共同で符号化される。
【０１３７】
選択可能に、情報フィールドに含まれる少なくとも１つのフィールドを、事前の設定、ネットワーク側無線リソース制御ＲＲＣシグナリングによる設定、又は、サイドリンクブロードキャストによる設定で指示する。
【０１３８】
なお、本開示の実施例に係る端末は、図２に示す方法の実施例において第１端末によって実現される各プロセスを実現することができるので、重複を避けるために、ここでは繰り返して記載しない。これにより、サイドリンクの伝送性能を向上させることができる。
【０１３９】
図５を参照する。図５は、本開示の実施例に係る別の端末の構造図である。端末は、第２端末である。図５に示すように、端末５００は、サイドリンクのＰＳＣＣＨを介して、サイドリンクの物理層情報を指示する情報フィールドを含むＳＣＩを受信する受信モジュール５０１を含む。
【０１４０】
選択可能に、物理層情報は、フィードバック情報、符号化率オフセット指示、スケジューリングデータ指示、応答要求指示、測定設定、基準信号指示、フィードバック対象指示及びハイブリッド自動再送要求ＨＡＲＱプロセス指示の少なくとも１つを含む。
【０１４１】
選択可能に、情報フィールドは、フィードバック指示フィールド、符号化率オフセット指示フィールド、スケジュールデータ指示フィールド、応答要求指示フィールド、測定設定指示フィールド、基準信号指示フィールド、フィードバック対象指示フィールド及びＨＡＲＱプロセス番号フィールドの少なくとも１つを含む。
【０１４２】
選択可能に、フィードバック指示フィールドは、ＳＣＩ又はＳＣＩによってスケジューリングされるＰＳＳＣＨにフィードバック情報が搬送されないことを示す所定の値又は所定のコードポイントを含む。又は、フィードバック指示フィールドは、フィードバック情報を示すフィードバックビットを含む。又は、フィードバック指示フィールドは、所定のセットのうち、ＳＣＩによってスケジューリングされるＰＳＳＣＨにフィードバック情報が搬送又は多重化されていることを示す数値を含む。
【０１４３】
選択可能に、フィードバック情報のフィードバックビット数が特定の閾値よりも小さい場合、フィードバック指示フィールドは、フィードバックビットを含み、フィードバック情報のフィードバックビット数が特定の閾値以上である場合、フィードバック指示フィールドは、所定のセット内の数値を含む。
【０１４４】
選択可能に、フィードバック情報は、再送応答情報及びチャネル状態情報測定結果の少なくとも１つを含む。
【０１４５】
選択可能に、ＰＳＳＣＨにおけるフィードバック情報の符号化及びマッピング方式は、数値に対応し、及び／又は、ＰＳＳＣＨにおけるフィードバック情報のフィードバックビット数は、数値に対応する。
【０１４６】
選択可能に、ＳＣＩによってスケジューリングされるＰＳＳＣＨにフィードバック情報が搬送又は多重化されている場合、符号化率オフセット指示フィールドは、ＰＳＳＣＨのビットマッピングに使用される符号化率オフセット設定を指示する。又は、符号化率オフセット指示フィールドは、ＳＣＩ又はＳＣＩによってスケジューリングされるＰＳＳＣＨにフィードバック情報が搬送されないことを示す所定の値又は所定のコードポイントを含む。又は、符号化率オフセット指示フィールドに含まれる数値が所定の第１部分空間に属する場合、符号化率オフセット指示フィールドは、フィードバック指示フィールドにフィードバックビットが含まれていることを指示し、ＰＳＳＣＨのビットマッピングに使用される符号化率オフセット設定を指示する。又は、符号化率オフセット指示フィールドに含まれる数値が所定の第２部分空間に属する場合、符号化率オフセット指示フィールドは、特定のフィードバック方式を指示する。
【０１４７】
選択可能に、特定のフィードバック方式は、フィードバック指示フィールドに所定の値又は所定のコードポイントが含まれること、又は、フィードバック指示フィールドに特定のタイプのフィードバック情報が含まれること、又は、ＳＣＩによってスケジューリングされるＰＳＳＣＨに上位層データ又は伝送ブロックＴＢが搬送されることなく、フィードバックビットのみが搬送されるか否かを含む。
【０１４８】
選択可能に、スケジューリングデータ指示フィールドは、ＳＣＩによってスケジューリングされるＰＳＳＣＨに上位層データ又は伝送ブロックＴＢが搬送されることなく、フィードバックビットのみが搬送されるか否かを指示する。ここで、スケジューリングデータ指示フィールドは、ＳＣＩ内の他のフィールドとは互いに独立したフィールドであるか、又は、スケジューリングデータ指示フィールドは、他のフィールド内の少なくとも１つの値又はコードポイントであり、他のフィールドは、ＰＳＳＣＨ時間領域又は周波数領域リソース割当フィールド、フィードバック指示フィールド、符号化率オフセット指示フィールド、応答要求指示フィールド、測定設定指示フィールド、基準信号指示フィールド、フィードバック対象指示フィールド情報又はＨＡＲＱプロセス番号フィールドである。又は、応答要求指示フィールドは、ＰＳＳＣＨを受信する端末である受信側が、ＳＣＩによってスケジューリングされるＰＳＳＣＨに対して応答フィードバックを送信するか否かを指示する。又は、測定設定指示フィールドは、サイドリンクチャネル測定を有効にするか否か及びサイドリンクチャネル測定の測定設定を指示する。又は、基準信号指示フィールドは、サイドリンク基準信号測定を有効にするか否か及びサイドリンク測定基準信号の基準信号設定を指示する。ここで、サイドリンク基準信号測定を有効にするのであれば、ＳＣＩによってスケジューリングされるＰＳＳＣＨのリソースマッピング位置は、基準信号のリソース位置と重ならない。又は、フィードバック対象指示フィールドは、フィードバックを行う端末である受信側のＩＤ、受信側のグループＩＤ、ネットワークから受信側に割り当てた固定ＩＤ、ネットワークから受信側に割り当てた仮ＩＤ又は切断ＩＤを指示する。又は、ＨＡＲＱプロセス番号フィールドは、ＳＣＩによってスケジューリングされるデータのＨＡＲＱプロセスとＨＡＲＱ−ＡＣＫフィードバックのＨＡＲＱプロセスの少なくとも１つを指示する。
【０１４９】
選択可能に、測定設定指示フィールドと基準信号指示フィールドとは、共同で符号化される。
【０１５０】
選択可能に、情報フィールドに含まれる少なくとも１つのフィールドを、事前の設定、ネットワーク側無線リソース制御ＲＲＣシグナリングによる設定、又は、サイドリンクブロードキャストによる設定で指示する。
【０１５１】
なお、本開示の実施例に係る端末は、図３に示す方法の実施例において第２端末によって実現される各プロセスを実現することができるので、重複を避けるために、ここでは繰り返して記載しない。サイドリンクの伝送性能を向上させることができる。
【０１５２】
図６は、本開示の各実施例を実現する端末のハードウェア構造図である。端末６００は、ラジオ周波数ユニット６０１と、ネットワークモジュール６０２と、音声出力ユニット６０３と、入力ユニット６０４と、センサ６０５と、表示ユニット６０６と、ユーザ入力ユニット６０７と、インターフェイスユニット６０８と、メモリ６０９と、プロセッサ６１０と、電源６１１などの構成ユニットを含むが、それらに限定されない。図６に示される端末の構造は、端末を限定するものではなく、端末は、図示されるよりも多い又は少ない構成ユニットを含むことができ、又は特定の構成ユニットを組み合わせることができ、又は異なる構成ユニットの設定を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【０１５３】
ここで、１つの実施例において、上記端末が本開示の実施例で定義されている第１端末である場合、ラジオ周波数ユニット６０１は、サイドリンクのＰＳＣＣＨを介して、サイドリンクの物理層情報を指示する情報フィールドを含むＳＣＩを送信する。
【０１５４】
選択可能に、物理層情報は、フィードバック情報、符号化率オフセット符号化率オフセット指示、スケジューリングデータ指示、応答要求指示、測定設定、基準信号指示、フィードバック対象指示及びハイブリッド自動再送要求ＨＡＲＱプロセス指示の少なくとも１つを含む。
【０１５５】
選択可能に、情報フィールドは、フィードバック指示フィールド、符号化率オフセット指示フィールド、スケジュールデータ指示フィールド、応答要求指示フィールド、測定設定指示フィールド、基準信号指示フィールド、フィードバック対象指示フィールド及びＨＡＲＱプロセス番号フィールドの少なくとも１つを含む。
【０１５６】
選択可能に、フィードバック指示フィールドは、ＳＣＩ又はＳＣＩによってスケジューリングされる物理サイドリンク共有チャネルＰＳＳＣＨにフィードバック情報が搬送されないことを示す所定の値又は所定のコードポイントを含む。又は、フィードバック指示フィールドは、フィードバック情報を示すフィードバックビットを含む。又は、フィードバック指示フィールドは、所定のセットのうち、ＳＣＩによってスケジューリングされるＰＳＳＣＨにフィードバック情報が搬送又は多重化されていることを示す数値を含む。
【０１５７】
選択可能に、フィードバック情報のフィードバックビット数が特定の閾値よりも小さい場合、フィードバック指示フィールドは、フィードバックビットを含み、フィードバック情報のフィードバックビット数が特定の閾値以上である場合、フィードバック指示フィールドは、所定のセット内の数値を含む。
【０１５８】
選択可能に、フィードバック情報は、再送応答情報及びチャネル状態情報測定結果の少なくとも１つを含む。
【０１５９】
選択可能に、ＰＳＳＣＨにおけるフィードバック情報の符号化及びマッピング方式は、数値に対応し、及び／又は、ＰＳＳＣＨにおけるフィードバック情報のフィードバックビット数は、数値に対応する。
【０１６０】
選択可能に、ＳＣＩによってスケジューリングされるＰＳＳＣＨにフィードバック情報が搬送又は多重化されている場合、符号化率オフセット指示フィールドは、ＰＳＳＣＨのビットマッピングに使用される符号化率オフセット設定を指示する。又は、符号化率オフセット指示フィールドは、ＳＣＩ又はＳＣＩによってスケジューリングされるＰＳＳＣＨにフィードバック情報が搬送されないことを示す所定の値又は所定のコードポイントを含む。又は、符号化率オフセット指示フィールドに含まれる数値が所定の第１部分空間に属する場合、符号化率オフセット指示フィールドは、フィードバック指示フィールドにフィードバックビットが含まれていることを指示し、ＰＳＳＣＨのビットマッピングに使用される符号化率オフセット設定を指示する。又は、符号化率オフセット指示フィールドに含まれる数値が所定の第２部分空間に属する場合、符号化率オフセット指示フィールドは、特定のフィードバック方式を指示する。
【０１６１】
選択可能に、特定のフィードバック方式は、フィードバック指示フィールドに所定の値又は所定のコードポイントが含まれること、又は、フィードバック指示フィールドに特定のタイプのフィードバック情報が含まれること、又は、ＳＣＩによってスケジューリングされるＰＳＳＣＨに上位層データ又は伝送ブロックＴＢが搬送されることなく、フィードバックビットのみが搬送されるか否かを含む。
【０１６２】
選択可能に、スケジューリングデータ指示フィールドは、ＳＣＩによってスケジューリングされるＰＳＳＣＨに上位層データ又は伝送ブロックＴＢが搬送されることなく、フィードバックビットのみが搬送されるか否かを指示する。ここで、スケジューリングデータ指示フィールドは、ＳＣＩ内の他のフィールドとは互いに独立したフィールドであるか、又は、スケジューリングデータ指示フィールドは、他のフィールド内の少なくとも１つの値又はコードポイントであり、他のフィールドは、ＰＳＳＣＨ時間領域又は周波数領域リソース割当フィールド、フィードバック指示フィールド、符号化率オフセット指示フィールド、応答要求指示フィールド、測定設定指示フィールド、基準信号指示フィールド、フィードバック対象指示フィールド情報又はＨＡＲＱプロセス番号フィールドである。又は、応答要求指示フィールドは、ＰＳＳＣＨを受信する端末である受信側が、ＳＣＩによってスケジューリングされるＰＳＳＣＨに対して応答フィードバックを送信するか否かを指示する。又は、測定設定指示フィールドは、サイドリンクチャネル測定を有効にするか否か及びサイドリンクチャネル測定の測定設定を指示する。又は、基準信号指示フィールドは、サイドリンク基準信号測定を有効にするか否か及びサイドリンク測定基準信号の基準信号設定を指示する。ここで、サイドリンク基準信号測定を有効にするのであれば、ＳＣＩによってスケジューリングされるＰＳＳＣＨのリソースマッピング位置は、基準信号のリソース位置と重ならない。又は、フィードバック対象指示フィールドは、フィードバックを行う端末である受信側のＩＤ、受信側のグループＩＤ、ネットワークから受信側に割り当てた固定ＩＤ、ネットワークから受信側に割り当てた仮ＩＤ又は切断ＩＤを指示する。又は、ＨＡＲＱプロセス番号フィールドは、ＳＣＩによってスケジューリングされるデータのＨＡＲＱプロセスとＨＡＲＱ−ＡＣＫフィードバックのＨＡＲＱプロセスの少なくとも１つを指示する。
【０１６３】
選択可能に、測定設定指示フィールドと基準信号指示フィールドとは、共同で符号化される。
【０１６４】
選択可能に、情報フィールドに含まれる少なくとも１つのフィールドを、事前の設定、ネットワーク側無線リソース制御ＲＲＣシグナリングによる設定、又は、サイドリンクブロードキャストによる設定で指示する。
【０１６５】
ここで、もう１つの実施例において、上記端末が本開示の実施例で定義されている第２端末である場合、ラジオ周波数ユニット６０１は、サイドリンクのＰＳＣＣＨを介して、サイドリンクの物理層情報を指示する情報フィールドを含むＳＣＩを受信する。
【０１６６】
選択可能に、物理層情報は、フィードバック情報、符号化率オフセット符号化率オフセット指示、スケジューリングデータ指示、応答要求指示、測定設定、基準信号指示、フィードバック対象指示及びハイブリッド自動再送要求ＨＡＲＱプロセス指示の少なくとも１つを含む。
【０１６７】
選択可能に、情報フィールドは、フィードバック指示フィールド、符号化率オフセット指示フィールド、スケジュールデータ指示フィールド、応答要求指示フィールド、測定設定指示フィールド、基準信号指示フィールド、フィードバック対象指示フィールド及びＨＡＲＱプロセス番号フィールドの少なくとも１つを含む。
【０１６８】
選択可能に、フィードバック指示フィールドは、ＳＣＩ又はＳＣＩによってスケジューリングされる物理サイドリンク共有チャネルＰＳＳＣＨにフィードバック情報が搬送されないことを示す所定の値又は所定のコードポイントを含む。又は、フィードバック指示フィールドは、フィードバック情報を示すフィードバックビットを含む。又は、フィードバック指示フィールドは、所定のセットのうち、ＳＣＩによってスケジューリングされるＰＳＳＣＨにフィードバック情報が搬送又は多重化されていることを示す数値を含む。
【０１６９】
選択可能に、フィードバック情報のフィードバックビット数が特定の閾値よりも小さい場合、フィードバック指示フィールドは、フィードバックビットを含み、フィードバック情報のフィードバックビット数が特定の閾値以上である場合、フィードバック指示フィールドは、所定のセット内の数値を含む。
【０１７０】
選択可能に、フィードバック情報は、再送応答情報及びチャネル状態情報測定結果の少なくとも１つを含む。
【０１７１】
選択可能に、ＰＳＳＣＨにおけるフィードバック情報の符号化及びマッピング方式は、数値に対応し、及び／又は、ＰＳＳＣＨにおけるフィードバック情報のフィードバックビット数は、数値に対応する。
【０１７２】
選択可能に、ＳＣＩによってスケジューリングされるＰＳＳＣＨにフィードバック情報が搬送又は多重化されている場合、符号化率オフセット指示フィールドは、ＰＳＳＣＨのビットマッピングに使用される符号化率オフセット設定を指示する。又は、符号化率オフセット指示フィールドは、ＳＣＩ又はＳＣＩによってスケジューリングされるＰＳＳＣＨにフィードバック情報が搬送されないことを示す所定の値又は所定のコードポイントを含む。又は、符号化率オフセット指示フィールドに含まれる数値が所定の第１部分空間に属する場合、符号化率オフセット指示フィールドは、フィードバック指示フィールドにフィードバックビットが含まれていることを指示し、ＰＳＳＣＨのビットマッピングに使用される符号化率オフセット設定を指示する。又は、符号化率オフセット指示フィールドに含まれる数値が所定の第２部分空間に属する場合、符号化率オフセット指示フィールドは、特定のフィードバック方式を指示する。
【０１７３】
選択可能に、特定のフィードバック方式は、フィードバック指示フィールドに所定の値又は所定のコードポイントが含まれること、又は、フィードバック指示フィールドに特定のタイプのフィードバック情報が含まれること、又は、ＳＣＩによってスケジューリングされるＰＳＳＣＨに上位層データ又は伝送ブロックＴＢが搬送されることなく、フィードバックビットのみが搬送されるか否かを含む。
【０１７４】
選択可能に、スケジューリングデータ指示フィールドは、ＳＣＩによってスケジューリングされるＰＳＳＣＨに上位層データ又は伝送ブロックＴＢが搬送されることなく、フィードバックビットのみが搬送されるか否かを指示する。ここで、スケジューリングデータ指示フィールドは、ＳＣＩ内の他のフィールドとは互いに独立したフィールドであるか、又は、スケジューリングデータ指示フィールドは、他のフィールド内の少なくとも１つの値又はコードポイントであり、他のフィールドは、ＰＳＳＣＨ時間領域又は周波数領域リソース割当フィールド、フィードバック指示フィールド、符号化率オフセット指示フィールド、応答要求指示フィールド、測定設定指示フィールド、基準信号指示フィールド、フィードバック対象指示フィールド情報又はＨＡＲＱプロセス番号フィールドである。又は、応答要求指示フィールドは、ＰＳＳＣＨを受信する端末である受信側が、ＳＣＩによってスケジューリングされるＰＳＳＣＨに対して応答フィードバックを送信するか否かを指示する。又は、測定設定指示フィールドは、サイドリンクチャネル測定を有効にするか否か及びサイドリンクチャネル測定の測定設定を指示する。又は、基準信号指示フィールドは、サイドリンク基準信号測定を有効にするか否か及びサイドリンク測定基準信号の基準信号設定を指示する。ここで、サイドリンク基準信号測定を有効にするのであれば、ＳＣＩによってスケジューリングされるＰＳＳＣＨのリソースマッピング位置は、基準信号のリソース位置と重ならない。又は、フィードバック対象指示フィールドは、フィードバックを行う端末である受信側のＩＤ、受信側のグループＩＤ、ネットワークから受信側に割り当てた固定ＩＤ、ネットワークから受信側に割り当てた仮ＩＤ又は切断ＩＤを指示する。又は、ＨＡＲＱプロセス番号フィールドは、ＳＣＩによってスケジューリングされるデータのＨＡＲＱプロセスとＨＡＲＱ−ＡＣＫフィードバックのＨＡＲＱプロセスの少なくとも１つを指示する。
【０１７５】
選択可能に、測定設定指示フィールドと基準信号指示フィールドとは、共同で符号化される。
【０１７６】
選択可能に、情報フィールドに含まれる少なくとも１つのフィールドを、事前の設定、ネットワーク側無線リソース制御ＲＲＣシグナリングによる設定、又は、サイドリンクブロードキャストによる設定で指示する。
【０１７７】
上記の２つの実施例において、上記端末は、サイドリンクの伝送性能を向上させることができる。
【０１７８】
なお、本開示の実施例において、ラジオ周波数ユニット６０１は、情報の送受信又は通話中で信号の送受信に用いられ、具体的に、基地局からの下りデータを受信した後、プロセッサ６１０による処理に供し、また、上りデータを基地局に送信する。一般に、ラジオ周波数ユニット６０１は、アンテナ、少なくとも１つの増幅器、トランシーバ、結合器、低雑音増幅器、デュプレクサなどを含むが、それらに限定されない。また、ラジオ周波数ユニット６０１は、無線通信システムを介してネットワークや他の機器と通信を行うこともできる。
【０１７９】
端末は、ネットワークモジュール６０２を介して、電子メールの送受信、ウェブページの閲覧、ストリーミングメディアへのアクセスをサポートするなど、無線ブロードバンドインターネットアクセスをユーザに提供する。
【０１８０】
音声出力ユニット６０３は、ラジオ周波数ユニット６０１やネットワークモジュール６０２が受信した音声データや、メモリ６０９に記憶された音声データを音声信号に変換して音声として出力することができる。また、音声出力ユニット６０３は、端末６００が実行する特定の機能に関する音声（例えば、呼出信号着信音、メッセージ着信音等）を出力してもよい。音声出力ユニット６０３は、スピーカ、ブザー及びレシーバなどを含む。
【０１８１】
入力ユニット６０４は、音声や映像の信号を受信することに用いられる。入力ユニット６０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）６０４１と、マイク６０４２とを含む。処理された画像フレームは、表示ユニット６０６上に表示される。グラフィックスプロセッサ６０４１で処理された画像フレームは、メモリ６０９（又は他の記憶媒体）に記憶されるか、又はラジオ周波数ユニット６０１又はネットワークモジュール６０２を介して送信される。マイク６０４２は、音声を受信し、音声データに加工することができる。処理された音声データは、電話通話モードの場合、ラジオ周波数ユニット６０１を介して移動体通信基地局に送信可能な形式に変換して出力することができる。
【０１８２】
端末６００は、光センサ、モーションセンサ及び他のセンサのような少なくとも１つのセンサ６０５を更に含む。具体的には、光センサは、周辺光センサ及び近接センサを含む。周辺光センサは、周辺光の明暗に応じて表示パネル６０６１の輝度を調節し、近接センサは、端末６００が耳に移動したときに表示パネル６０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ６０５は、指紋センサ、圧力センサ、虹彩センサ、分子センサ、ジャイロスコープ、気圧計、湿度計、温度計、赤外線センサなどを更に含むことができるが、ここでは枚挙しない。
【０１８３】
表示ユニット６０６は、ユーザが入力した情報やユーザに提供した情報を表示するために用いられる。表示ユニット６０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル６０６１を含んでもよい。
【０１８４】
ユーザ入力ユニット６０７は、数字や文字情報の入力を受け付け、ユーザによる端末の設定や機能制御に関するキー信号の入力を行うことに用いられる。具体的に、ユーザ入力ユニット６０７は、タッチスクリーン６０７１と、その他の入力機器６０７２とを含む。タッチスクリーン６０７１は、その上又は付近でのユーザのタッチ操作を取得可能である（たとえばユーザが指やスタイラスなどの任意の適切な物体や付属部材を用いたタッチスクリーン６０７１の上又はタッチスクリーン６０７１の付近での操作）。タッチスクリーン６０７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ６１０に送り、プロセッサ６１０からの命令を受信して実行する。なお、タッチスクリーン６０７１は、抵抗膜式、静電容量式、赤外線、表面弾性波など、種々の方式を用いて実現することができる。ユーザ入力ユニット６０７は、タッチスクリーン６０７１の他に、他の入力機器６０７２を含んでもよい。具体的に、他の入力機器６０７２は、物理的なキーボード、機能キー（例えば、音量調節キー、スイッチキーなど）、トラックボール、マウス、レバーを含むが、ここでは枚挙しない。
【０１８５】
更に、タッチスクリーン６０７１は、表示パネル６０６１に重ねられる。タッチスクリーン６０７１は、その上又はその近くでタッチ操作を検出すると、プロセッサ６１０に送信して、タッチイベントのタイプを決定する。次いで、プロセッサ６１０は、タッチイベントのタイプに応じて、対応する視覚的出力を表示パネル６０６１に提供する。図６では、タッチスクリーン６０７１と表示パネル６０６１は、独立した２つの部品として端末の入出力機能を実現するが、実施例によっては、タッチスクリーン６０７１と表示パネル６０６１を一体化して端末の入出力機能を実現することもでき、具体的にここでは限定しない。
【０１８６】
インターフェイスユニット６０８は、外部装置と端末６００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェイスユニット６０８は、外部装置から入力（たとえば、データ情報、電力など）を受信し、受信した入力を端末６００内の１つ以上のユニットに伝送するために使用されてもよく、又は端末６００と外部装置との間でデータを伝送するために使用されてもよい。
【０１８７】
メモリ６０９は、ソフトウェアプログラム及び様々なデータを格納するために使用される。メモリ６０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ６０９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０１８８】
プロセッサ６１０は、端末の制御センタであり、各種インタフェースや回線を用いて端末全体の各部を接続し、メモリ６０９に格納されたソフトウェアプログラム及び／又はモジュールを実行、メモリ６０９に格納されたデータを呼び出して端末の各種機能及び処理データを実行し、端末全体の監視を行う。プロセッサ６１０は、１つ以上の処理ユニットを含んでもよい。選択可能に、プロセッサ６１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ６１０に統合されなくてもよいことが理解される。
【０１８９】
端末６００は、各構成ユニットに電力を供給するためのバッテリのような電源６１１を更に含んでもよい。選択可能に、電源６１１は、電源管理システムを介してプロセッサ６１０に論理的に接続されてもよく、電源管理システムを介して充電、放電、及び消費電力管理などを管理する機能を実現してもよい。
【０１９０】
また、端末６００は、図示しない機能モジュールを更に含んでもよく、ここでの説明は省略する。
【０１９１】
選択可能に、本開示の実施例は、プロセッサ６１０と、メモリ６０９と、メモリ６０９に格納されてプロセッサ６１０で動作可能なコンピュータプログラムを含む端末を更に提供し、コンピュータプログラムがプロセッサ６１０によって実行されると、上記第１端末側のサイドリンクの伝送方法の実施例の各プロセスが実現され、又は上記第２端末側のサイドリンクの伝送方法の実施例の各プロセスが実現され、且つ同じ技術効果を奏することもできるので、重複を避けるために、ここでは繰り返して記載しない。
【０１９２】
本開示の実施例は、コンピュータプログラムが格納されているコンピュータ読み取り可能な記憶媒体を更に提供し、当該コンピュータプログラムがプロセッサによって実行されると、本開示の実施例に係る第１端末側のサイドリンクの伝送方法の実施例の各プロセスが実現され、又は、当該コンピュータプログラムがプロセッサによって実行されると、本開示の実施例に係る第２端末側のサイドリンクの伝送方法の実施例の各プロセスが実現され、且つ同じ技術効果を奏することもできるので、重複を避けるために、ここでは繰り返して記載しない。ここで、コンピュータ読み取り可能な記憶媒体は、たとえば、リードオンリーメモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなどである。
【０１９３】
なお、本明細書において、「含む」や「含有する」又はそれ以外のあらゆる変形用語は、非排他的に含むことを意味する。よって、一連のユニットを含むプロセス、方法、モノ又は装置は、それらのユニットを含むだけではなく、明確に列挙されていない他のユニットを更に含む。又はこのようなプロセス、方法、モノ又は装置に固有のユニットを更に含む。特に限定されない限り、「・・・を１つ含む」の表現によって限定されるユニットについて、当該ユニットを含むプロセス、方法、モノ又は装置に他の同一ユニットの存在を除外しない。
【０１９４】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指令を含む。
【０１９５】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021518723.tif 000003
【図２】
2021518723.tif 000004
【図３】
2021518723.tif 000005
【図４】
2021518723.tif 000006
【図５】
2021518723.tif 000007
【図６】
2021518723.tif 000008
【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
第１端末に応用されるサイドリンクの伝送方法において、
前記サイドリンクの物理層情報を指示する情報フィールドを含むサイドリンク制御情報ＳＣＩを、サイドリンクの物理サイドリンク制御チャネルＰＳＣＣＨを介して送信することを含む、サイドリンクの伝送方法。
【請求項２】
前記物理層情報は、フィードバック情報、符号化率オフセット指示、スケジューリングデータ指示、応答要求指示、測定設定、基準信号指示、フィードバック対象指示及びハイブリッド自動再送要求ＨＡＲＱプロセス指示の少なくとも１つを含む、請求項１に記載のサイドリンクの伝送方法。
【請求項３】
前記情報フィールドは、フィードバック指示フィールド、符号化率オフセット指示フィールド、スケジュールデータ指示フィールド、応答要求指示フィールド、測定設定指示フィールド、基準信号指示フィールド、フィードバック対象指示フィールド及びＨＡＲＱプロセス番号フィールドの少なくとも１つを含む、請求項１に記載のサイドリンクの伝送方法。
【請求項４】
前記スケジューリングデータのスケジューリングデータ指示フィールドは、前記サイドリンク制御情報ＳＣＩによってスケジューリングされるＰＳＳＣＨに上位層データ又はＴＢが搬送されることなく、フィードバックビットのみが搬送されるか否かを指示し、ここで、前記スケジューリングデータ指示フィールドは、前記サイドリンク制御情報ＳＣＩ内の他のフィールドとは互いに独立したフィールドであるか、又は、前記スケジューリングデータ指示フィールドは、他のフィールド内の少なくとも１つの値又はコードポイントであり、前記他のフィールドは、ＰＳＳＣＨ時間領域又は周波数領域リソース割当フィールド、フィードバック指示フィールド、符号化率オフセット指示フィールド、応答要求指示フィールド、測定設定指示フィールド、基準信号指示フィールド、フィードバック対象指示フィールド情報又はＨＡＲＱプロセス番号フィールドであり、
又は、前記応答要求指示フィールドは、前記ＰＳＳＣＨを受信する端末である受信側が、前記サイドリンク制御情報ＳＣＩによってスケジューリングされるＰＳＳＣＨに対して応答フィードバックを送信するか否かを指示し、
又は、前記測定設定指示フィールドは、サイドリンクチャネル測定を有効にするか否か及び前記サイドリンクチャネル測定の測定設定を指示し、
又は、前記基準信号指示フィールドは、サイドリンク基準信号測定を有効にするか否か及び前記サイドリンク測定基準信号の基準信号設定を指示し、ここで、サイドリンク基準信号測定を有効にするのであれば、前記サイドリンク制御情報ＳＣＩによってスケジューリングされるＰＳＳＣＨのリソースマッピング位置は、基準信号のリソース位置と重ならず、
又は、前記フィードバック対象指示フィールドは、フィードバックを行う端末である受信側のＩＤ、該受信側のグループＩＤ、ネットワークから該受信側に割り当てた固定ＩＤ、ネットワークから該受信側に割り当てた仮ＩＤ又は切断ＩＤを指示し、
又は、前記ＨＡＲＱプロセス番号フィールドは、前記サイドリンク制御情報ＳＣＩによってスケジューリングされるデータのＨＡＲＱプロセスとＨＡＲＱ−ＡＣＫフィードバックのＨＡＲＱプロセスの少なくとも１つを指示する、請求項３に記載のサイドリンクの伝送方法。
【請求項５】
前記サイドリンク制御情報ＳＣＩによってスケジューリングされるＰＳＳＣＨにフィードバック情報が搬送又は多重化されている場合、前記符号化率オフセット指示フィールドは、前記ＰＳＳＣＨのビットマッピングに使用される符号化率オフセット設定を指示し、
又は、前記符号化率オフセット指示フィールドは、前記サイドリンク制御情報ＳＣＩ又は前記サイドリンク制御情報ＳＣＩによってスケジューリングされるＰＳＳＣＨにフィードバック情報が搬送されないことを示す所定の値又は所定のコードポイントを含み、
又は、前記符号化率オフセット指示フィールドに含まれる数値が所定の第１部分空間に属する場合、前記符号化率オフセット指示フィールドは、前記フィードバック指示フィールドにフィードバックビットが含まれていることを指示し、前記ＰＳＳＣＨのビットマッピングに使用される符号化率オフセット設定を指示し、
又は、前記符号化率オフセット指示フィールドに含まれる数値が所定の第２部分空間に属する場合、前記符号化率オフセット指示フィールドは、特定のフィードバック方式を指示する、請求項３に記載のサイドリンクの伝送方法。
【請求項６】
第２端末に応用されるサイドリンクの伝送方法において、
前記サイドリンクの物理層情報を指示する情報フィールドを含むサイドリンク制御情報ＳＣＩを、サイドリンクのＰＳＣＣＨを介して受信することを含む、サイドリンクの伝送方法。
【請求項７】
前記物理層情報は、フィードバック情報、符号化率オフセット指示、スケジューリングデータ指示、応答要求指示、測定設定、基準信号指示、フィードバック対象指示及びハイブリッド自動再送要求ＨＡＲＱプロセス指示の少なくとも１つを含む、請求項６に記載のサイドリンクの伝送方法。
【請求項８】
前記情報フィールドは、フィードバック指示フィールド、符号化率オフセット指示フィールド、スケジュールデータ指示フィールド、応答要求指示フィールド、測定設定指示フィールド、基準信号指示フィールド、フィードバック対象指示フィールド及びＨＡＲＱプロセス番号フィールドの少なくとも１つを含む、請求項６に記載のサイドリンクの伝送方法。
【請求項９】
前記スケジューリングデータのスケジューリングデータ指示フィールドは、前記サイドリンク制御情報ＳＣＩによってスケジューリングされるＰＳＳＣＨに上位層データ又はＴＢが搬送されることなく、フィードバックビットのみが搬送されるか否かを指示し、ここで、前記スケジューリングデータ指示フィールドは、前記サイドリンク制御情報ＳＣＩ内の他のフィールドとは互いに独立したフィールドであるか、又は、前記スケジューリングデータ指示フィールドは、他のフィールド内の少なくとも１つの値又はコードポイントであり、前記他のフィールドは、ＰＳＳＣＨ時間領域又は周波数領域リソース割当フィールド、フィードバック指示フィールド、符号化率オフセット指示フィールド、応答要求指示フィールド、測定設定指示フィールド、基準信号指示フィールド、フィードバック対象指示フィールド情報又はＨＡＲＱプロセス番号フィールドであり、
又は、前記応答要求指示フィールドは、前記ＰＳＳＣＨを受信する端末である受信側が、前記サイドリンク制御情報ＳＣＩによってスケジューリングされるＰＳＳＣＨに対して応答フィードバックを送信するか否かを指示し、
又は、前記測定設定指示フィールドは、サイドリンクチャネル測定を有効にするか否か及び前記サイドリンクチャネル測定の測定設定を指示し、
又は、前記基準信号指示フィールドは、サイドリンク基準信号測定を有効にするか否か及び前記サイドリンク測定基準信号の基準信号設定を指示し、ここで、サイドリンク基準信号測定を有効にするのであれば、前記サイドリンク制御情報ＳＣＩによってスケジューリングされるＰＳＳＣＨのリソースマッピング位置は、基準信号のリソース位置と重ならず、
又は、前記フィードバック対象指示フィールドは、フィードバックを行う端末である受信側のＩＤ、該受信側のグループＩＤ、ネットワークから該受信側に割り当てた固定ＩＤ、ネットワークから該受信側に割り当てた仮ＩＤ又は切断ＩＤを指示し、
又は、前記ＨＡＲＱプロセス番号フィールドは、前記サイドリンク制御情報ＳＣＩによってスケジューリングされるデータのＨＡＲＱプロセスとＨＡＲＱ−ＡＣＫフィードバックのＨＡＲＱプロセスの少なくとも１つを指示する、請求項８に記載のサイドリンクの伝送方法。
【請求項１０】
第１端末であって、
サイドリンクのＰＳＣＣＨを介して、前記サイドリンクの物理層情報を指示する情報フィールドを含むサイドリンク制御情報ＳＣＩを送信する送信モジュールを含む、端末。
【請求項１１】
前記物理層情報は、フィードバック情報、符号化率オフセット符号化率オフセット指示、スケジューリングデータ指示、応答要求指示、測定設定、基準信号指示、フィードバック対象指示及びハイブリッド自動再送要求ＨＡＲＱプロセス指示の少なくとも１つを含み、または、
前記情報フィールドは、フィードバック指示フィールド、符号化率オフセット指示フィールド、スケジュールデータ指示フィールド、応答要求指示フィールド、測定設定指示フィールド、基準信号指示フィールド、フィードバック対象指示フィールド及びＨＡＲＱプロセス番号フィールドの少なくとも１つを含む、請求項１０に記載の端末。
【請求項１２】
前記スケジューリングデータのスケジューリングデータ指示フィールドは、前記サイドリンク制御情報ＳＣＩによってスケジューリングされるＰＳＳＣＨに上位層データ又はＴＢが搬送されることなく、フィードバックビットのみが搬送されるか否かを指示し、ここで、前記スケジューリングデータ指示フィールドは、前記サイドリンク制御情報ＳＣＩ内の他のフィールドとは互いに独立したフィールドであるか、又は、前記スケジューリングデータ指示フィールドは、他のフィールド内の少なくとも１つの値又はコードポイントであり、前記他のフィールドは、ＰＳＳＣＨ時間領域又は周波数領域リソース割当フィールド、フィードバック指示フィールド、符号化率オフセット指示フィールド、応答要求指示フィールド、測定設定指示フィールド、基準信号指示フィールド、フィードバック対象指示フィールド情報又はＨＡＲＱプロセス番号フィールドであり、
又は、前記応答要求指示フィールドは、前記ＰＳＳＣＨを受信する端末である受信側が、前記サイドリンク制御情報ＳＣＩによってスケジューリングされるＰＳＳＣＨに対して応答フィードバックを送信するか否かを指示し、
又は、前記測定設定指示フィールドは、サイドリンクチャネル測定を有効にするか否か及び前記サイドリンクチャネル測定の測定設定を指示し、
又は、前記基準信号指示フィールドは、サイドリンク基準信号測定を有効にするか否か及び前記サイドリンク測定基準信号の基準信号設定を指示し、ここで、サイドリンク基準信号測定を有効にするのであれば、前記サイドリンク制御情報ＳＣＩによってスケジューリングされるＰＳＳＣＨのリソースマッピング位置は、基準信号のリソース位置と重ならず、
又は、前記フィードバック対象指示フィールドは、フィードバックを行う端末である受信側のＩＤ、該受信側のグループＩＤ、ネットワークから該受信側に割り当てた固定ＩＤ、ネットワークから該受信側に割り当てた仮ＩＤ又は切断ＩＤを指示し、
又は、前記ＨＡＲＱプロセス番号フィールドは、前記サイドリンク制御情報ＳＣＩによってスケジューリングされるデータのＨＡＲＱプロセスとＨＡＲＱ−ＡＣＫフィードバックのＨＡＲＱプロセスの少なくとも１つを指示する、請求項１１に記載の端末。
【請求項１３】
第２端末であって、
サイドリンクのＰＳＣＣＨを介して、前記サイドリンクの物理層情報を指示する情報フィールドを含むサイドリンク制御情報ＳＣＩを受信する受信モジュールを含む、端末。
【請求項１４】
前記物理層情報は、フィードバック情報、符号化率オフセット指示、スケジューリングデータ指示、応答要求指示、測定設定、基準信号指示、フィードバック対象指示及びハイブリッド自動再送要求ＨＡＲＱプロセス指示の少なくとも１つを含み、または、
前記情報フィールドは、フィードバック指示フィールド、符号化率オフセット指示フィールド、スケジュールデータ指示フィールド、応答要求指示フィールド、測定設定指示フィールド、基準信号指示フィールド、フィードバック対象指示フィールド及びＨＡＲＱプロセス番号フィールドの少なくとも１つを含む、請求項１３に記載の端末。
【請求項１５】
前記スケジューリングデータのスケジューリングデータ指示フィールドは、前記サイドリンク制御情報ＳＣＩによってスケジューリングされるＰＳＳＣＨに上位層データ又はＴＢが搬送されることなく、フィードバックビットのみが搬送されるか否かを指示し、ここで、前記スケジューリングデータ指示フィールドは、前記サイドリンク制御情報ＳＣＩ内の他のフィールドとは互いに独立したフィールドであるか、又は、前記スケジューリングデータ指示フィールドは、他のフィールド内の少なくとも１つの値又はコードポイントであり、前記他のフィールドは、ＰＳＳＣＨ時間領域又は周波数領域リソース割当フィールド、フィードバック指示フィールド、符号化率オフセット指示フィールド、応答要求指示フィールド、測定設定指示フィールド、基準信号指示フィールド、フィードバック対象指示フィールド情報又はＨＡＲＱプロセス番号フィールドであり、
又は、前記応答要求指示フィールドは、前記ＰＳＳＣＨを受信する端末である受信側が、前記サイドリンク制御情報ＳＣＩによってスケジューリングされるＰＳＳＣＨに対して応答フィードバックを送信するか否かを指示し、
又は、前記測定設定指示フィールドは、サイドリンクチャネル測定を有効にするか否か及び前記サイドリンクチャネル測定の測定設定を指示し、
又は、前記基準信号指示フィールドは、サイドリンク基準信号測定を有効にするか否か及び前記サイドリンク測定基準信号の基準信号設定を指示し、ここで、サイドリンク基準信号測定を有効にするのであれば、前記サイドリンク制御情報ＳＣＩによってスケジューリングされるＰＳＳＣＨのリソースマッピング位置は、基準信号のリソース位置と重ならず、
又は、前記フィードバック対象指示フィールドは、フィードバックを行う端末である受信側のＩＤ、該受信側のグループＩＤ、ネットワークから該受信側に割り当てた固定ＩＤ、ネットワークから該受信側に割り当てた仮ＩＤ又は切断ＩＤを指示し、
又は、前記ＨＡＲＱプロセス番号フィールドは、前記サイドリンク制御情報ＳＣＩによってスケジューリングされるデータのＨＡＲＱプロセスとＨＡＲＱ−ＡＣＫフィードバックのＨＡＲＱプロセスの少なくとも１つを指示する、請求項１４に記載の端末。
【国際調査報告】
2021518723.tif 000009
2021518723.tif 000010
2021518723.tif 000011
2021518723.tif 000012